(57)【特許請求の範囲】
【請求項１】
それぞれが吸着剤を有して該吸着剤を空気と接触させる第１吸着素子（81）及び第２吸着素子（82）と、冷媒を循環させて冷凍サイクルを行う冷媒回路（100）とを備え、
減湿された第１空気を室内へ供給して加湿された第２空気を室外へ排出する除湿運転と、減湿された第１空気を室外へ排出して加湿された第２空気を室内へ供給する加湿運転とが切り換え可能となっており、
第１空気中の水分を上記第１吸着素子（81）に吸着させると同時に上記冷媒回路（100）の冷媒により加熱された第２空気で上記第２吸着素子（82）を再生する第１動作と、第１空気中の水分を上記第２吸着素子（82）に吸着させると同時に上記冷媒回路（100）の冷媒により加熱された第２空気で上記第１吸着素子（81）を再生する第２動作とを交互に繰り返すことによって上記除湿運転及び加湿運転を行う調湿装置であって、
上記第１吸着素子（81）及び第２吸着素子（82）と冷媒回路（100）とを収容すると共に内部空間を第１空気及び第２空気が流通するケーシング（10）を備え、
上記ケーシング（10）には、室内側吹出口（14）と室外側吹出口（16）とが設けられ、
上記ケーシング（10）内には、上記第１動作と第２動作の切り換え及び上記除湿運転と加湿運転の切り換えを行うために第１空気及び第２空気の流通経路を変更する開閉シャッタが収容され、
上記ケーシング（10）内では、上記室内側吹出口（14）により室内空間と連通される室内側の空気流路（46）が該室内側吹出口（14）へ向かう空気の流通経路における上記開閉シャッタの下流側に、上記室外側吹出口（16）により室外空間と連通される室外側の空気流路（41）が該室外側吹出口（16）へ向かう空気の流通経路における上記開閉シャッタの下流側にそれぞれ形成される一方、
上記冷媒回路（100）は、上記吸着素子（81,82）へ供給される第２空気を冷媒と熱交換させるための再生熱交換器（102）と、室内へ供給される空気を冷媒と熱交換させるための第１熱交換器（103）と、室外へ排出される空気を冷媒と熱交換させるための第２熱交換器（104）とを備え、
上記第１熱交換器（103）は上記室内側の空気流路（46）に、上記第２熱交換器（104）は上記室外側の空気流路（41）にそれぞれ収容され、
上記冷媒回路（100）は、上記除湿運転中には上記再生熱交換器（102）が凝縮器になると共に少なくとも上記第１熱交換器（103）が蒸発器になる一方、上記加湿運転中には上記再生熱交換器（102）が凝縮器になると共に少なくとも上記第２熱交換器（104）が蒸発器になるように構成されている調湿装置。
【請求項２】
請求項１記載の調湿装置において、
冷媒回路（100）は、
第１熱交換器（103）と第２熱交換器（104）のうち一方を蒸発器にして他方を休止させる運転が可能に構成されている調湿装置。
【請求項３】
請求項１記載の調湿装置において、
冷媒回路（100）は、
第１熱交換器（103）と第２熱交換器（104）のうち一方を蒸発器にして他方を休止させる運転と、
第１熱交換器（103）と第２熱交換器（104）の両方を蒸発器にする運転とが可能に構成されている調湿装置。
【請求項４】
吸着剤を有して該吸着剤を空気と接触させる吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、上記吸着素子（81,82）を通過した第１空気と第２空気のうち一方を室内へ供給して他方を室外へ排出する調湿装置であって、
上記冷媒回路（100）は、
上記吸着素子（81,82）へ供給される第２空気を冷媒と熱交換させるための再生熱交換器（102）と、室内へ供給される空気を冷媒と熱交換させるための第１熱交換器（103）と、室外へ排出される空気を冷媒と熱交換させるための第２熱交換器（104）とを備え、
第１熱交換器（103）と第２熱交換器（104）のうち一方を蒸発器にして他方を休止させる運転と、第１熱交換器（103）と第２熱交換器（104）の両方を蒸発器にする運転と、第１熱交換器（103）と第２熱交換器（104）のうち一方を蒸発器にして他方を凝縮器又は過冷却器にする運転とが可能に構成されている調湿装置。
【請求項５】
吸着剤を有して該吸着剤を空気と接触させる吸着素子（81,82）と、冷媒を循環させて冷凍サイクルを行う冷媒回路（100）とを備え、
第１空気中の水分を上記吸着素子（81,82）に吸着させる吸着動作と、上記冷媒回路（100）の冷媒により加熱された第２空気で上記吸着素子（81,82）を再生する再生動作とを行い、上記吸着素子（81,82）を通過した第１空気と第２空気のうち一方を室内へ供給して他方を室外へ排出する調湿装置であって、
上記冷媒回路（100）は、
上記吸着素子（81,82）へ供給される第２空気を冷媒と熱交換させるための再生熱交換器（102）と、室内へ供給される空気を冷媒と熱交換させるための第１熱交換器（103）と、室外へ排出される空気を冷媒と熱交換させるための第２熱交換器（104）とを備え、
第１熱交換器（103）と第２熱交換器（104）の両方を蒸発器にする運転と、
第１熱交換器（103）と第２熱交換器（104）のうち一方を蒸発器にして他方を凝縮器又は過冷却器にする運転とが可能に構成されている調湿装置。
【請求項６】
請求項３，４又は５記載の調湿装置において、
第１空気を室内へ供給して第２空気を室外へ排出する際に冷媒回路（100）の第１熱交換器（103）及び第２熱交換器（104）を蒸発器にする運転が可能に構成されている調湿装置。
【請求項７】
請求項３，４又は５記載の調湿装置において、
第２空気を室内へ供給して第１空気を室外へ排出する際に冷媒回路（100）の第１熱交換器（103）及び第２熱交換器（104）を蒸発器にする運転が可能に構成されている調湿装置。
【請求項８】
請求項４又は５記載の調湿装置において、
第１空気を室内へ供給して第２空気を室外へ排出する際に冷媒回路（100）の第１熱交換器（103）を蒸発器にして第２熱交換器（104）を凝縮器又は過冷却器にする運転が可能に構成されている調湿装置。
【請求項９】
請求項４又は５記載の調湿装置において、
第２空気を室内へ供給して第１空気を室外へ排出する際に冷媒回路（100）の第１熱交換器（103）を凝縮器又は過冷却器にして第２熱交換器（104）を蒸発器にする運転が可能に構成されている調湿装置。
【請求項１０】
請求項１，４又は５記載の調湿装置において、
第２空気を室内へ供給して第１空気を室外へ排出する際には、室外空気を第２空気として取り込んで再生熱交換器（102）へ送ると共に、室内空気を第１空気として取り込んで吸着素子（81,82）へ送ることが可能に構成されている調湿装置。
【請求項１１】
請求項１，４又は５記載の調湿装置において、
第１空気を室内へ供給して第２空気を室外へ排出する際には、室外空気を第１空気として取り込んで吸着素子（81,82）へ送ると共に、室内空気を第２空気として取り込んで再生熱交換器（102）へ送ることが可能に構成されている調湿装置。
【発明の詳細な説明】
【０００１】
【発明の属する技術分野】
本発明は、空気の湿度調節を行う調湿装置に関するものである。
【０００２】
【従来の技術】
従来より、特開平９−３２９３７１号公報に開示されているように、いわゆるデシカントロータとヒートポンプを組み合わせた調湿装置が知られている。この調湿装置では、再生用の空気通路にヒートポンプの凝縮器が設置され、室内への給気用の空気通路にヒートポンプの蒸発器が設置されている。そして、この調湿装置は、換気用の給気をデシカントロータで減湿して室内へ供給すると共に、換気用の排気でデシカントロータを再生する運転を行う。
【０００３】
具体的に、上記調湿装置へは、換気用の給気として室外空気が取り込まれる。この室外空気は、デシカントロータで減湿された後に給気用の空気通路へ流入し、蒸発器で冷媒と熱交換して冷却された後に室内へ供給される。また、上記調湿装置へは、換気用の排気として室内空気が取り込まれる。この室内空気は、再生用の空気通路を流れる間に凝縮器で冷媒と熱交換して加熱され、その後にデシカントロータの再生に利用されて室外へ排出される。
【０００４】
【発明が解決しようとする課題】
しかしながら、上記従来の調湿装置は、室内への給気を減湿する除湿運転のみを考慮した構成であるため、室内への給気を加湿する加湿運転に利用しようとすると、充分な能力が得られないという問題があった。
【０００５】
つまり、加湿運転を行うには、デシカントロータから脱離した水分で加湿された空気を給気用の空気通路へ送り込む必要がある。ところが、上記調湿装置では、給気用の空気通路にヒートポンプの蒸発器が設置されている。このため、加湿された給気用の空気が蒸発器で冷却され、その空気に含まれる水分の一部が凝縮してしまう。従って、上記調湿装置では、蒸発器を通過する際に給気用の空気に含まれる水分が減少してしまい、充分な加湿能力を得ることができなかった。
【０００６】
本発明は、かかる点に鑑みてなされたものであり、その目的とするところは、冷媒回路を備える調湿装置において、充分な加湿能力を得ることにある。
【０００７】
【課題を解決するための手段】
本発明が講じた第１の解決手段は、それぞれが吸着剤を有して該吸着剤を空気と接触させる第１吸着素子（81）及び第２吸着素子（82）と、冷媒を循環させて冷凍サイクルを行う冷媒回路（100）とを備え、減湿された第１空気を室内へ供給して加湿された第２空気を室外へ排出する除湿運転と、減湿された第１空気を室外へ排出して加湿された第２空気を室内へ供給する加湿運転とが切り換え可能となっており、第１空気中の水分を上記第１吸着素子（81）に吸着させると同時に上記冷媒回路（100）の冷媒により加熱された第２空気で上記第２吸着素子（82）を再生する第１動作と、第１空気中の水分を上記第２吸着素子（82）に吸着させると同時に上記冷媒回路（100）の冷媒により加熱された第２空気で上記第１吸着素子（81）を再生する第２動作とを交互に繰り返すことによって上記除湿運転及び加湿運転を行う調湿装置を対象としている。そして、上記第１吸着素子（81）及び第２吸着素子（82）と冷媒回路（100）とを収容すると共に内部空間を第１空気及び第２空気が流通するケーシング（10）を備え、上記ケーシング（10）には、室内側吹出口（14）と室外側吹出口（16）とが設けられ、上記ケーシング（10）内には、上記第１動作と第２動作の切り換え及び上記除湿運転と加湿運転の切り換えを行うために第１空気及び第２空気の流通経路を変更する開閉シャッタが収容され、上記ケーシング（10）内では、上記室内側吹出口（14）により室内空間と連通される室内側の空気流路（46）が該室内側吹出口（14）へ向かう空気の流通経路における上記開閉シャッタの下流側に、上記室外側吹出口（16）により室外空間と連通される室外側の空気流路（41）が該室外側吹出口（16）へ向かう空気の流通経路における上記開閉シャッタの下流側にそれぞれ形成される一方、上記冷媒回路（100）は、上記吸着素子（81,82）へ供給される第２空気を冷媒と熱交換させるための再生熱交換器（102）と、室内へ供給される空気を冷媒と熱交換させるための第１熱交換器（103）と、室外へ排出される空気を冷媒と熱交換させるための第２熱交換器（104）とを備え、上記第１熱交換器（103）は上記室内側の空気流路（46）に、上記第２熱交換器（104）は上記室外側の空気流路（41）にそれぞれ収容され、上記冷媒回路（100）は、上記除湿運転中には上記再生熱交換器（102）が凝縮器になると共に少なくとも上記第１熱交換器（103）が蒸発器になる一方、上記加湿運転中には上記再生熱交換器（102）が凝縮器になると共に少なくとも上記第２熱交換器（104）が蒸発器になるように構成されるものである。
【０００８】
本発明が講じた第２の解決手段は、上記第１の解決手段において、冷媒回路（100）は、第１熱交換器（103）と第２熱交換器（104）のうち一方を蒸発器にして他方を休止させる運転が可能に構成されるものである。
【０００９】
本発明が講じた第３の解決手段は、上記第１の解決手段において、冷媒回路（100）は、第１熱交換器（103）と第２熱交換器（104）のうち一方を蒸発器にして他方を休止させる運転と、第１熱交換器（103）と第２熱交換器（104）の両方を蒸発器にする運転とが可能に構成されるものである。
【００１０】
本発明が講じた第４及び第５の解決手段は、吸着剤を有して該吸着剤を空気と接触させる吸着素子（81,82）と、冷媒を循環させて冷凍サイクルを行う冷媒回路（100）とを備え、第１空気中の水分を上記吸着素子（81,82）に吸着させる吸着動作と、上記冷媒回路（100）の冷媒により加熱された第２空気で上記吸着素子（81,82）を再生する再生動作とを行い、上記吸着素子（81,82）を通過した第１空気と第２空気のうち一方を室内へ供給して他方を室外へ排出する調湿装置を対象としている。
【００１１】
そして、上記第４の解決手段は、その対象とする調湿装置において、冷媒回路（100）は、第１熱交換器（103）と第２熱交換器（104）のうち一方を蒸発器にして他方を休止させる運転と、第１熱交換器（103）と第２熱交換器（104）の両方を蒸発器にする運転と、第１熱交換器（103）と第２熱交換器（104）のうち一方を蒸発器にして他方を凝縮器又は過冷却器にする運転とが可能に構成されるものである。
【００１２】
また、上記第５の解決手段は、その対象とする調湿装置において、冷媒回路（100）は、第１熱交換器（103）と第２熱交換器（104）の両方を蒸発器にする運転と、第１熱交換器（103）と第２熱交換器（104）のうち一方を蒸発器にして他方を凝縮器又は過冷却器にする運転とが可能に構成されるものである。
【００１３】
本発明が講じた第６の解決手段は、上記第３，第４又は第５の解決手段において、第１空気を室内へ供給して第２空気を室外へ排出する際に冷媒回路（100）の第１熱交換器（103）及び第２熱交換器（104）を蒸発器にする運転が可能に構成されるものである。
【００１４】
本発明が講じた第７の解決手段は、上記第３，第４又は第５の解決手段において、第２空気を室内へ供給して第１空気を室外へ排出する際に冷媒回路（100）の第１熱交換器（103）及び第２熱交換器（104）を蒸発器にする運転が可能に構成されるものである。
【００１５】
本発明が講じた第８の解決手段は、上記第４又は第５の解決手段において、第１空気を室内へ供給して第２空気を室外へ排出する際に冷媒回路（100）の第１熱交換器（103）を蒸発器にして第２熱交換器（104）を凝縮器又は過冷却器にする運転が可能に構成されるものである。
【００１６】
本発明が講じた第９の解決手段は、上記第４又は第５の解決手段において、第２空気を室内へ供給して第１空気を室外へ排出する際に冷媒回路（100）の第１熱交換器（103）を凝縮器又は過冷却器にして第２熱交換器（104）を蒸発器にする運転が可能に構成されるものである。
【００１７】
本発明が講じた第１０の解決手段は、上記第１，第４又は第５の解決手段において、第２空気を室内へ供給して第１空気を室外へ排出する際には、室外空気を第２空気として取り込んで再生熱交換器（102）へ送ると共に、室内空気を第１空気として取り込んで吸着素子（81,82）へ送ることが可能に構成されるものである。
【００１８】
本発明が講じた第１１解決手段は、上記第１，第４又は第５の解決手段において、第１空気を室内へ供給して第２空気を室外へ排出する際には、室外空気を第１空気として取り込んで吸着素子（81,82）へ送ると共に、室内空気を第２空気として取り込んで再生熱交換器（102）へ送ることが可能に構成されるものである。
【００１９】
−作用−
上記第１の解決手段では、調湿装置において、吸着動作と再生動作とが行われる。吸着動作時の吸着素子（81,82）では、第１空気が吸着剤と接触し、第１空気中の水蒸気が吸着剤に吸着される。一方、再生動作時の吸着素子（81,82）では、加熱された第２空気が吸着剤と接触し、吸着剤から水蒸気が脱離する。つまり、吸着素子（81,82）が再生される。吸着剤から脱離した水蒸気は、第２空気に付与される。
【００２０】
本解決手段の調湿装置は、吸着素子（81,82）から出た第１空気と第２空気のうち、一方を室内へ供給して他方を室外へ排出する。つまり、吸着素子（81,82）で減湿された第１空気を室内へ供給する場合には、吸着素子（81,82）の再生に利用された第２空気を室外へ排出する。また、吸着素子（81,82）で加湿された第２空気を室内へ供給する場合には、吸着素子（81,82）に水分を奪われた第１空気を室外へ排出する。
【００２１】
上記調湿装置の冷媒回路（100）には、再生熱交換器（102）、第１熱交換器（103）、及び第２熱交換器（104）が設けられる。この冷媒回路（100）では、再生熱交換器（102）が必ず凝縮器となり、第１熱交換器（103）と第２熱交換器（104）の少なくとも一方が蒸発器となる。再生熱交換器（102）では、第２空気が冷媒との熱交換によって加熱される。再生熱交換器（102）で加熱された第２空気は、再生動作時の吸着素子（81,82）へ送られる。第１熱交換器（103）が蒸発器となる場合には、この第１熱交換器（103）において、室内へ供給される第１空気又は第２空気と熱交換して冷媒が蒸発する。一方、第２熱交換器（104）が蒸発器となる場合には、この第２熱交換器（104）において、室外へ排出される第１空気又は第２空気と熱交換して冷媒が蒸発する。
【００２２】
また、この第１の解決手段において、調湿装置では、吸着動作により減湿された第１空気を室内へ供給して再生動作により加湿された第２空気を室外へ排出する際に、冷媒回路（100）の第１熱交換器（103）を蒸発器にする運転が可能となる。この運転時において、第１熱交換器（103）では、室内へ供給される第１空気が冷却される。つまり、第１空気は、吸着素子（81,82）で減湿されてから第１熱交換器（103）で冷却され、その後に室内へ供給される。
【００２３】
更に、この第１解決手段において、調湿装置では、再生動作により加湿された第２空気を室内へ供給して吸着動作により減湿された第１空気を室外へ排出する際に、冷媒回路（100）の第２熱交換器（104）を蒸発器にする運転が可能となる。この運転時において、第２熱交換器（104）では、室外へ排出される第１空気から吸熱して冷媒が蒸発する。つまり、第２熱交換器（104）では室外へ排出される第１空気からの熱回収が行われ、回収された熱が再生熱交換器（102）で第２空気の加熱に利用される。
【００２４】
上記第２の解決手段において、冷媒回路（100）は、第１熱交換器（103）が蒸発器になって第２熱交換器（104）へ冷媒が供給されない運転と、第２熱交換器（104）が蒸発器になって第１熱交換器（103）へ冷媒が供給されない運転とを行えるように構成される。
【００２５】
上記第３の解決手段において、冷媒回路（100）は、第１熱交換器（103）が蒸発器になって第２熱交換器（104）へ冷媒が供給されない運転と、第２熱交換器（104）が蒸発器になって第１熱交換器（103）へ冷媒が供給されない運転とを行えるように構成される。また、本解決手段の冷媒回路（100）は、第１熱交換器（103）と第２熱交換器（104）の両方が蒸発器になる運転を行えるように構成される。
【００２６】
上記第４の解決手段において、冷媒回路（100）は、第１熱交換器（103）が蒸発器になって第２熱交換器（104）へ冷媒が供給されない運転と、第２熱交換器（104）が蒸発器になって第１熱交換器（103）へ冷媒が供給されない運転とを行えるように構成される。また、本解決手段の冷媒回路（100）は、第１熱交換器（103）と第２熱交換器（104）の両方が蒸発器になる運転を行えるように構成される。また、本解決手段の冷媒回路（100）は、第１熱交換器（103）が蒸発器になって第２熱交換器（104）が凝縮器又は過冷却器になる運転と、第２熱交換器（104）が蒸発器になって第１熱交換器（103）が凝縮器又は過冷却器になる運転とを行えるように構成される。第１熱交換器（103）と第２熱交換器（104）は、供給される冷媒が高圧ガス冷媒を含むものである場合に凝縮器となり、供給される冷媒が高圧液冷媒だけの場合に過冷却器となる。
【００２７】
上記第５の解決手段において、冷媒回路（100）は、第１熱交換器（103）と第２熱交換器（104）の両方が蒸発器になる運転を行えるように構成される。また、本解決手段の冷媒回路（100）は、第１熱交換器（103）が蒸発器になって第２熱交換器（104）が凝縮器又は過冷却器になる運転と、第２熱交換器（104）が蒸発器になって第１熱交換器（103）が凝縮器又は過冷却器になる運転とを行えるように構成される。第１熱交換器（103）と第２熱交換器（104）は、供給される冷媒が高圧ガス冷媒を含むものである場合に凝縮器となり、供給される冷媒が高圧液冷媒だけの場合に過冷却器となる。
【００２８】
上記第６の解決手段において、調湿装置では、吸着動作により減湿された第１空気を室内へ供給して再生動作により加湿された第２空気を室外へ排出する際に、冷媒回路（100）の第１熱交換器（103）及び第２熱交換器（104）を蒸発器にする運転が可能となる。この運転時において、第１熱交換器（103）では室内へ供給される第１空気が冷却され、第２熱交換器（104）では室外へ排出される第２空気から冷媒が吸熱する。つまり、第１空気は、吸着素子（81,82）で減湿されてから第１熱交換器（103）で冷却され、その後に室内へ供給される。また、第２熱交換器（104）では室外へ排出される第２空気からの熱回収が行われ、回収された熱が再生熱交換器（102）で第２空気の加熱に利用される。
【００２９】
上記第７の解決手段において、調湿装置では、再生動作により加湿された第２空気を室内へ供給して吸着動作により減湿された第１空気を室外へ排出する際に、冷媒回路（100）の第１熱交換器（103）及び第２熱交換器（104）を蒸発器にする運転が可能となる。この運転時において、第１熱交換器（103）では室内へ供給される第２空気が冷却され、第２熱交換器（104）では室外へ排出される第１空気から冷媒が吸熱する。つまり、第２空気は、吸着素子（81,82）で加湿されてから第１熱交換器（103）で冷却され、その後に室内へ供給される。また、第２熱交換器（104）では室外へ排出される第１空気からの熱回収が行われ、回収された熱が再生熱交換器（102）で第２空気の加熱に利用される。
【００３０】
上記第８の解決手段において、調湿装置では、吸着動作により減湿された第１空気を室内へ供給して再生動作により加湿された第２空気を室外へ排出する際に、冷媒回路（100）の第１熱交換器（103）を蒸発器にして第２熱交換器（104）を凝縮器又は過冷却器にする運転が可能となる。この運転時において、第１熱交換器（103）では室内へ供給される第１空気が冷却され、第２熱交換器（104）では室外へ排出される第２空気に対して冷媒が放熱する。つまり、第１空気は、吸着素子（81,82）で減湿されてから第１熱交換器（103）で冷却され、その後に室内へ供給される。また、冷媒回路（100）の冷媒は、再生熱交換器（102）だけでなく第２熱交換器（104）においても第２空気に対して放熱する。
【００３１】
上記第９の解決手段において、調湿装置では、再生動作により加湿された第２空気を室内へ供給して吸着動作により減湿された第１空気を室外へ排出する際に、冷媒回路（100）の第１熱交換器（103）を凝縮器又は過冷却器にして第２熱交換器（104）を蒸発器にする運転が可能となる。この運転時において、第１熱交換器（103）では室内へ供給される第２空気が加熱され、第２熱交換器（104）では室外へ排出される第１空気から吸熱して冷媒が蒸発する。つまり、第２空気は、吸着素子（81,82）で加湿されてから第１熱交換器（103）で加熱され、その後に室内へ供給される。また、第２熱交換器（104）では室外へ排出される第１空気からの熱回収が行われ、回収された熱が再生熱交換器（102）で第２空気の加熱に利用される。
【００３２】
上記第１０の解決手段では、室外空気が第２空気として調湿装置へ取り込まれる。室外空気で構成される第２空気は、再生熱交換器（102）で加熱され、更に吸着素子（81,82）で加湿されてから室内へ供給される。その際、調湿装置へは、室内空気が第１空気として取り込まれる。室内空気で構成される第１空気は、吸着素子（81,82）で水分を奪われた後に室外へ排出される。
【００３３】
上記第１１の解決手段では、室外空気が第１空気として取り込まれる。室外空気で構成される第１空気は、吸着素子（81,82）で減湿されてから室内へ供給される。その際、調湿装置へは、室内空気が第２空気として調湿装置へ取り込まれる。室内空気で構成される第２空気は、再生熱交換器（102）で加熱され、更に吸着素子（81,82）の再生に利用されてから室外へ排出される。
【００３４】
【発明の効果】
本発明に係る調湿装置では、加湿された第２空気を室内へ供給して水分を奪われた第１空気を室外へ排出する運転時において、蒸発器となる熱交換器（104）で冷媒を第１空気と熱交換させることが可能である。このため、室内へ供給される加湿後の第２空気が冷媒との熱交換によって冷却され、第２空気中の水蒸気が凝縮して失われるのを回避することができる。従って、本発明によれば、加湿後の第２空気を室内へ供給可能な調湿装置において、その加湿性能を高く維持することができる。
【００３５】
また、上記第１の解決手段によれば、次のような効果も得られる。ここでは、この点について説明する。
【００３６】
始めに、従来より、特開平１１−２４１８３７号公報に開示されているように、ロータ状の吸着素子を用いた調湿装置が知られている。この調湿装置では、減湿された空気を室内へ供給する除湿運転と、加湿された空気を室内へ供給する加湿運転とが切り換えて行われる。吸着素子は、ケーシングに収納されると共に、その中心軸周りに回転駆動されている。また、吸着素子では、その一部を吸着側空気が通過し、残りの部分を電気ヒータで加熱された再生側空気が通過している。
【００３７】
この従来の調湿装置における除湿運転では、吸着素子に水分を奪われた吸着側空気が室内へ供給される。その際、吸着素子が加熱された再生側空気によって再生され、吸着素子を通過した再生側空気が室外へ排出される。一方、加湿運転では、吸着素子から脱離した水分を付与された再生側空気が室内へ供給される。その際、吸着素子に水分を奪われた吸着側空気が室外へ排出される。
【００３８】
この従来の調湿装置では、再生側空気を加熱するための熱源として電気ヒータを用いているが、これに代えてヒートポンプを熱源に用いることも考えられる。通常、ヒートポンプを構成する冷媒回路には、２つの熱交換器が設けられており、その一方が蒸発器となって他方が凝縮器となる。凝縮器となる熱交換器では、再生側空気が冷媒との熱交換によって加熱される。一方、蒸発器となる熱交換器では、吸着素子を通過後の吸着側空気が冷媒との熱交換を行う。
【００３９】
ところが、この従来の調湿装置では、除湿運転と加湿運転を切り換えるために、吸着素子から出た吸着側空気の流通経路を切り換える必要がある。従って、この調湿装置にヒートポンプを適用する場合、吸着側空気の流れを室内側又は室外側へ切り換える箇所よりも上流に蒸発器となる熱交換器を配置する必要がある。このため、蒸発器となる熱交換器等の構成機器のレイアウトが制約され、調湿装置の設計自由度が大きく損なわれるという問題があった。また、熱交換器等のレイアウトが制約を受けることによって空気通路が複雑化し、調湿装置の大型化を招くおそれもあった。
【００４０】
これに対し、上記第１の解決手段の調湿装置では、室内へ向かう空気を冷媒と熱交換させ得る第１熱交換器（103）と、室外へ向かう空気を冷媒と熱交換させ得る第２熱交換器（104）とを冷媒回路（100）に設け、第１熱交換器（103）と第２熱交換器（104）の少なくとも一方を蒸発器としている。更に、この解決手段では、第１空気や第２空気を室内側又は室外側へ切り換える箇所よりも下流側に、第１熱交換器（103）と第２熱交換器（104）を設置している。
【００４１】
従って、上記第１の解決手段によれば、調湿装置の構成機器、特に蒸発器となり得る第１熱交換器（103）や第２熱交換器（104）のレイアウトに関する制約を小さくすることができる。そして、機器のレイアウトが制約されることに起因する問題、即ち調湿装置の設計自由度が損なわれたり、空気通路が複雑化して調湿装置が大型化するといった問題を回避できる。
【００４２】
上記第２〜第５の各解決手段では、様々な運転ができるように冷媒回路（100）を構成している。従って、これらの解決手段によれば、冷媒回路（100）における多様な運転を可能とすることで、調湿装置の機能を増大させることができる。
【００４３】
上記第６の解決手段によれば、第１空気を減湿し更に冷却してから室内へ供給すると同時に、排気される第２空気から回収した熱を再生熱交換器（102）での第２空気の加熱に再利用する運転が可能である。従って、この運転を行えば、室内の湿度調節だけでなく冷房をも行うことができ、更には、排気される第２空気の内部エネルギを調湿装置の運転に有効利用できる。
【００４４】
上記第７の解決手段によれば、第２空気を加湿し更に冷却してから室内へ供給すると同時に、排気される第１空気から回収した熱を再生熱交換器（102）での第２空気の加熱に利用する運転が可能である。従って、この運転を行えば、室内の温度を上げずに加湿だけを行いたい場合に適した運転が可能となり、更には、排気される第１空気の内部エネルギを調湿装置の運転に有効利用できる。
【００４５】
上記第８の解決手段によれば、第１空気を減湿し更に冷却してから室内へ供給すると同時に、再生熱交換器（102）と第２熱交換器（104）の両方で冷媒が第２空気へ放熱する運転が可能である。従って、この運転を行えば、室内の湿度調節だけでなく冷房をも行うことができる。また、蒸発器である第１熱交換器（103）へ送られる冷媒のエンタルピを低下させることも可能となり、この場合には第１熱交換器（103）における冷媒の吸熱量を増大させて冷房能力を向上させることができる。
【００４６】
上記第９の解決手段によれば、第２空気を加湿し更に加熱してから室内へ供給すると同時に、排気される第１空気から回収した熱を再生熱交換器（102）や第１熱交換器（103）での第２空気の加熱に利用する運転が可能である。従って、この運転を行えば、室内の湿度調節だけでなく暖房をも行うことができ、更には、排気される第１空気の内部エネルギを調湿装置の運転に有効利用できる。
【００４７】
上記第１０の解決手段では、第２空気として取り込んだ室外空気を加湿後に室内へ供給する一方で、第１空気として取り込んだ室内空気を減湿後に室外へ排出する運転が可能となる。また、上記第１１の解決手段では、第１空気として取り込んだ室外空気を減湿後に室内へ供給する一方で、第２空気として取り込んだ室内空気を加湿後に室外へ排出する運転が可能となる。従って、これら第１０及び第１１の解決手段によれば、室内へ供給される空気の調湿だけでなく、室内の換気をも行うことができる。
【００４８】
【発明の実施の形態１】
以下、本発明の実施形態を図面に基づいて詳細に説明する。尚、以下の説明において、「上」 「下」 「左」 「右」 「前」 「後」 「手前」 「奥」 は、何れも参照する図面におけるものを意味している。
【００４９】
本実施形態に係る調湿装置は、減湿された空気が室内へ供給される除湿運転と、加湿された空気が室内へ供給される加湿運転とを切り換えて行うように構成されている。また、この調湿装置は、冷媒回路（100）と２つの吸着素子（81,82）とを備え、いわゆるバッチ式の動作を行うように構成されている。ここでは、本実施形態に係る調湿装置の構成について、図１，図５，図６，図７を参照しながら説明する。
【００５０】
《調湿装置の全体構成》
図１，図５に示すように、上記調湿装置は、やや扁平な直方体状のケーシング（10）を備えている。このケーシング（10）には、２つの吸着素子（81,82）と、冷媒回路（100）とが収納されている。冷媒回路（100）には、再生熱交換器（102）、第１熱交換器（103）、及び第２熱交換器（104）が設けられている。尚、冷媒回路（100）の詳細については後述する。
【００５１】
図６に示すように、上記吸着素子（81,82）は、平板状の平板部材（83）と波形状の波板部材（84）とを交互に積層して構成されている。平板部材（83）は、その長辺の長さＬ1がその短辺の長さＬ2の２.５倍となる長方形状に形成されている。つまり、この平板部材（83）では、Ｌ1/Ｌ2＝２.５となっている。尚、ここに示した数値は例示である。波板部材（84）は、隣接する波板部材（84）の稜線方向が互いに９０°ずれる姿勢で積層されている。そして、吸着素子（81,82）は、全体として直方体状ないし四角柱状に形成されている。
【００５２】
上記吸着素子（81,82）には、平板部材（83）及び波板部材（84）の積層方向において、調湿側通路（85）と冷却側通路（86）とが平板部材（83）を挟んで交互に区画形成されている。この吸着素子（81,82）において、平板部材（83）の長辺側の側面に調湿側通路（85）が開口し、平板部材（83）の短辺側の側面に冷却側通路（86）が開口している。また、この吸着素子（81,82）において、同図の手前側と奥側の端面は、調湿側通路（85）と冷却側通路（86）の何れも開口しない閉塞面を構成している。
【００５３】
上記吸着素子（81,82）において、調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。
【００５４】
図１に示すように、上記ケーシング（10）において、最も手前側には室外側パネル（11）が設けられ、最も奥側には室内側パネル（12）が設けられている。室外側パネル（11）には、その左端寄りに室外側吸込口（13）が形成され、その右端寄りに室外側吹出口（16）が形成されている。一方、室内側パネル（12）には、その左端寄りに室内側吹出口（14）が形成され、その右端寄りに室内側吸込口（15）が形成されている。
【００５５】
ケーシング（10）の内部には、手前側から奥側へ向かって順に、第１仕切板（20）と、第２仕切板（30）とが設けられている。ケーシング（10）の内部空間は、これら第１，第２仕切板（20,30）によって、前後に仕切られている。
【００５６】
室外側パネル（11）と第１仕切板（20）の間の空間は、上側の室外側上部流路（41）と下側の室外側下部流路（42）とに区画されている。室外側上部流路（41）は、室外側吹出口（16）によって室外空間と連通されている。室外側下部流路（42）は、室外側吸込口（13）によって室外空間と連通されている。
【００５７】
室外側パネル（11）と第１仕切板（20）の間の空間には、その右端寄りに排気ファン（96）が設置されている。また、室外側上部流路（41）には、第２熱交換器（104）が設置されている。第２熱交換器（104）は、いわゆるクロスフィン型のフィン・アンド・チューブ熱交換器であって、排気ファン（96）へ向けて室外側上部流路（41）を流れる空気と冷媒回路（100）の冷媒とを熱交換させるように構成されている。つまり、第２熱交換器（104）は、室外へ排出される空気と冷媒とを熱交換させるためのものであり、排気側熱交換器を構成している。
【００５８】
第１仕切板（20）には、第１右側開口（21）、第１左側開口（22）、第１右上開口（23）、第１右下開口（24）、第１左上開口（25）、及び第１左下開口（26）が形成されている。これらの開口（21,22,…）は、それぞれが開閉シャッタを備えて開閉自在に構成されている。
【００５９】
第１右側開口（21）及び第１左側開口（22）は、縦長の長方形状の開口である。第１右側開口（21）は、第１仕切板（20）の右端近傍に設けられている。第１左側開口（22）は、第１仕切板（20）の左端近傍に設けられている。第１右上開口（23）、第１右下開口（24）、第１左上開口（25）、及び第１左下開口（26）は、横長の長方形状の開口である。第１右上開口（23）は、第１仕切板（20）の上部における第１右側開口（21）の左隣に設けられている。第１右下開口（24）は、第１仕切板（20）の下部における第１右側開口（21）の左隣に設けられている。第１左上開口（25）は、第１仕切板（20）の上部における第１左側開口（22）の右隣に設けられている。第１左下開口（26）は、第１仕切板（20）の下部における第１左側開口（22）の右隣に設けられている。
【００６０】
第１仕切板（20）と第２仕切板（30）の間には、２つの吸着素子（81,82）が設置されている。これら吸着素子（81,82）は、所定の間隔をおいて左右に並んだ状態に配置されている。具体的には、右寄りに第１吸着素子（81）が設けられ、左寄りに第２吸着素子（82）が設けられている。
【００６１】
第１，第２吸着素子（81,82）は、それぞれにおける平板部材（83）及び波板部材（84）の積層方向がケーシング（10）の長手方向（図１における手前から奥へ向かう方向）と一致すると共に、それぞれにおける平板部材（83）等の積層方向が互いに平行となる姿勢で設置されている。更に、各吸着素子（81,82）は、左右の側面がケーシング（10）の側板と、上下面がケーシング（10）の天板や底板と、前後の端面が室外側パネル（11）や室内側パネル（12）とそれぞれ略平行になる姿勢で配置されている。
【００６２】
また、ケーシング（10）内に設置された各吸着素子（81,82）では、その左右の側面に冷却側通路（86）が開口している。つまり、第１吸着素子（81）において冷却側通路（86）の開口する１つの側面と、第２吸着素子（82）において冷却側通路（86）の開口する１つの側面とは、互いに向かい合っている。
【００６３】
第１仕切板（20）と第２仕切板（30）の間の空間は、右側流路（51）、左側流路（52）、右上流路（53）、右下流路（54）、左上流路（55）、左下流路（56）、及び中央流路（57）に区画されている。
【００６４】
右側流路（51）は、第１吸着素子（81）の右側に形成され、第１吸着素子（81）の冷却側通路（86）に連通している。左側流路（52）は、第２吸着素子（82）の左側に形成され、第２吸着素子（82）の冷却側通路（86）に連通している。
【００６５】
右上流路（53）は、第１吸着素子（81）の上側に形成され、第１吸着素子（81）の調湿側通路（85）に連通している。右下流路（54）は、第１吸着素子（81）の下側に形成され、第１吸着素子（81）の調湿側通路（85）に連通している。左上流路（55）は、第２吸着素子（82）の上側に形成され、第２吸着素子（82）の調湿側通路（85）に連通している。左下流路（56）は、第２吸着素子（82）の下側に形成され、第２吸着素子（82）の調湿側通路（85）に連通している。
【００６６】
中央流路（57）は、第１吸着素子（81）と第２吸着素子（82）の間に形成され、両吸着素子（81,82）の冷却側通路（86）に連通している。この中央流路（57）は、図１，図５に現れる流路断面の形状が八角形状となっている。
【００６７】
再生熱交換器（102）は、いわゆるクロスフィン型のフィン・アンド・チューブ熱交換器であって、中央流路（57）を流れる空気と冷媒回路（100）の冷媒とを熱交換させるように構成されている。この再生熱交換器（102）は、中央流路（57）に配置されている。つまり、再生熱交換器（102）は、左右に並んだ第１吸着素子（81）と第２吸着素子（82）の間に設置されている。更に、再生熱交換器（102）は、ほぼ垂直に立てられた状態で、中央流路（57）を左右に仕切るように設けられている。
【００６８】
第１吸着素子（81）と再生熱交換器（102）の間には、右側シャッタ（61）が設けられている。この右側シャッタ（61）は、中央流路（57）における再生熱交換器（102）の右側部分と右下流路（54）との間を仕切るものであって、開閉自在に構成されている。一方、第２吸着素子（82）と再生熱交換器（102）の間には、左側シャッタ（62）が設けられている。この左側シャッタ（62）は、中央流路（57）における再生熱交換器（102）の左側部分と左下流路（56）との間を仕切るものであって、開閉自在に構成されている。
【００６９】
室外側パネル（11）と第１仕切板（20）の間の流路（41,42）と、第１仕切板（20）と第２仕切板（30）の間の流路（51,52,…）とは、第１仕切板（20）の開口（21,22,…）に設けられた開閉シャッタによって、連通状態と遮断状態に切り換えられる。具体的に、第１右側開口（21）を開口状態とすると、右側流路（51）と室外側下部流路（42）が連通する。第１左側開口（22）を開口状態とすると、左側流路（52）と室外側下部流路（42）が連通する。第１右上開口（23）を開口状態とすると、右上流路（53）と室外側上部流路（41）が連通する。第１右下開口（24）を開口状態とすると、右下流路（54）と室外側下部流路（42）が連通する。第１左上開口（25）を開口状態とすると、左上流路（55）と室外側上部流路（41）が連通する。第１左下開口（26）を開口状態とすると、左下流路（56）と室外側下部流路（42）が連通する。
【００７０】
第２仕切板（30）には、第２右側開口（31）、第２左側開口（32）、第２右上開口（33）、第２右下開口（34）、第２左上開口（35）、及び第２左下開口（36）が形成されている。これらの開口（31,32,…）は、それぞれが開閉シャッタを備えて開閉自在に構成されている。
【００７１】
第２右側開口（31）及び第２左側開口（32）は、縦長の長方形状の開口である。第２右側開口（31）は、第２仕切板（30）の右端近傍に設けられている。第２左側開口（32）は、第２仕切板（30）の左端近傍に設けられている。第２右上開口（33）、第２右下開口（34）、第２左上開口（35）、及び第２左下開口（36）は、横長の長方形状の開口である。第２右上開口（33）は、第２仕切板（30）の上部における第２右側開口（31）の左隣に設けられている。第２右下開口（34）は、第２仕切板（30）の下部における第２右側開口（31）の左隣に設けられている。第２左上開口（35）は、第２仕切板（30）の上部における第２左側開口（32）の右隣に設けられている。第２左下開口（36）は、第２仕切板（30）の下部における第２左側開口（32）の右隣に設けられている。
【００７２】
室内側パネル（12）と第２仕切板（30）の間の空間は、上側の室内側上部流路（46）と下側の室内側下部流路（47）とに区画されている。室内側上部流路（46）は、室内側吹出口（14）によって室内空間と連通されている。室内側下部流路（47）は、室内側吸込口（15）によって室内空間と連通されている。
【００７３】
室内側パネル（12）と第２仕切板（30）の間の空間には、その左端寄りに給気ファン（95）が設置されている。また、室内側上部流路（46）には、第１熱交換器（103）が設置されている。第１熱交換器（103）は、いわゆるクロスフィン型のフィン・アンド・チューブ熱交換器であって、給気ファン（95）へ向けて室内側上部流路（46）を流れる空気と冷媒回路（100）の冷媒とを熱交換させるように構成されている。つまり、第１熱交換器（103）は、室内へ供給される空気と冷媒とを熱交換させるためのものである。
【００７４】
第１仕切板（20）と第２仕切板（30）の間の流路と、第２仕切板（30）と室外側パネル（11）の間の流路とは、第２仕切板（30）の開口に設けられた開閉シャッタによって、連通状態と遮断状態に切り換えられる。具体的に、第２右側開口（31）を開口状態とすると、右側流路（51）と室内側下部流路（47）が連通する。第２左側開口（32）を開口状態とすると、左側流路（52）と室内側下部流路（47）が連通する。第２右上開口（33）を開口状態とすると、右上流路（53）と室内側上部流路（46）が連通する。第２右下開口（34）を開口状態とすると、右下流路（54）と室内側下部流路（47）が連通する。第２左上開口（35）を開口状態とすると、左上流路（55）と室内側上部流路（46）が連通する。第２左下開口（36）を開口状態とすると、左下流路（56）と室内側下部流路（47）が連通する。
【００７５】
《冷媒回路の構成》
図７に示すように、上記冷媒回路（100）は、冷媒の充填された閉回路である。冷媒回路（100）には、圧縮機（101）、再生熱交換器（102）、第１熱交換器（103）、第２熱交換器（104）、レシーバ（105）、四方切換弁（120）、及び電動膨張弁（110）が設けられている。この冷媒回路（100）では、冷媒を循環させることで蒸気圧縮式の冷凍サイクルが行われる。
【００７６】
冷媒回路（100）において、圧縮機（101）の吐出側は、再生熱交換器（102）の一端に接続されている。再生熱交換器（102）の他端は、レシーバ（105）を介して電動膨張弁（110）の一端に接続されている。電動膨張弁（110）の他端は、四方切換弁（120）の第１ポート（121）に接続されている。この四方切換弁（120）は、その第２ポート（122）が第２熱交換器（104）の一端に接続され、その第４ポート（124）が第１熱交換器（103）の一端に接続されている。また、四方切換弁（120）の第３ポート（123）は、封止されている。第１熱交換器（103）の他端と第２熱交換器（104）の他端とは、それぞれが圧縮機（101）の吸入側に接続されている。
【００７７】
四方切換弁（120）は、第１ポート（121）と第２ポート（122）が互いに連通して第３ポート（123）と第４ポート（124）が互いに連通する状態と、第１ポート（121）と第４ポート（124）が互いに連通して第２ポート（122）と第３ポート（123）が互いに連通する状態とに切り換わる。上述のように、この四方切換弁（120）の第３ポート（123）は、閉塞されている。つまり、本実施形態の冷媒回路（100）では、四方切換弁（120）が三方弁として用いられている。従って、この冷媒回路（100）では、四方切換弁（120）に代えて三方弁を用いてもよい。
【００７８】
−運転動作−
上記調湿装置の運転動作について説明する。この調湿装置は、除湿運転と加湿運転とを切り換えて行う。また、この調湿装置は、第１動作と第２動作とを交互に繰り返すことによって除湿運転や加湿運転を行う。
【００７９】
《除湿運転》
図１，図２に示すように、除湿運転時において、給気ファン（95）を駆動すると、室外空気が室外側吸込口（13）を通じてケーシング（10）内に取り込まれる。この室外空気は、第１空気として室外側下部流路（42）へ流入する。一方、排気ファン（96）を駆動すると、室内空気が室内側吸込口（15）を通じてケーシング（10）内に取り込まれる。この室内空気は、第２空気として室内側下部流路（47）へ流入する。
【００８０】
また、除湿運転時において、冷媒回路（100）では、再生熱交換器（102）が凝縮器となり、第１熱交換器（103）が蒸発器となる一方、第２熱交換器（104）が休止している。この冷媒回路（100）の動作については後述する。
【００８１】
除湿運転の第１動作について、図１，図５を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着剤が再生される。
【００８２】
図１に示すように、第１仕切板（20）では、第１右下開口（24）と第１左上開口（25）とが連通状態となり、残りの開口（21,22,23,26）が遮断状態となっている。この状態では、第１右下開口（24）によって室外側下部流路（42）と右下流路（54）とが連通され、第１左上開口（25）によって左上流路（55）と室外側上部流路（41）とが連通される。
【００８３】
第２仕切板（30）では、第２右側開口（31）と第２右上開口（33）とが連通状態となり、残りの開口（32,34,35,36）が遮断状態となっている。この状態では、第２右側開口（31）によって室内側下部流路（47）と右側流路（51）とが連通され、第２右上開口（33）によって右上流路（53）と室内側上部流路（46）とが連通される。
【００８４】
右側シャッタ（61）は閉鎖状態となり、左側シャッタ（62）は開口状態となっている。この状態では、中央流路（57）における再生熱交換器（102）の左側部分と左下流路（56）とが、左側シャッタ（62）を介して連通される。
【００８５】
ケーシング（10）に取り込まれた第１空気は、室外側下部流路（42）から第１右下開口（24）を通って右下流路（54）へ流入する。一方、ケーシング（10）に取り込まれた第２空気は、室内側下部流路（47）から第２右側開口（31）を通って右側流路（51）へ流入する。
【００８６】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、右上流路（53）へ流入する。
【００８７】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から左下流路（56）へ流入する。
【００８８】
第１吸着素子（81）及び再生熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に左上流路（55）へ流入する。
【００８９】
図１に示すように、右上流路（53）へ流入した減湿後の第１空気は、第２右上開口（33）を通って室内側上部流路（46）へ送り込まれる。この第１空気は、室内側上部流路（46）を流れる間に第１熱交換器（103）を通過し、冷媒との熱交換によって冷却される。その後、減湿されて冷却された第１空気は、室内側吹出口（14）を通って室内へ供給される。
【００９０】
一方、左上流路（55）へ流入した第２空気は、第１左上開口（25）を通って室外側上部流路（41）へ流入する。この第２空気は、室外側上部流路（41）を流れる間に第２熱交換器（104）を通過する。その際、第２熱交換器（104）は休止しており、第２空気は加熱も冷却もされない。そして、第１吸着素子（81）の冷却と第２吸着素子（82）の再生に利用された第２空気は、室外側吹出口（16）を通って室外へ排出される。
【００９１】
除湿運転の第２動作について、図２，図５を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着剤が再生される。
【００９２】
図２に示すように、第１仕切板（20）では、第１右上開口（23）と第１左下開口（26）とが連通状態となり、残りの開口（21,22,24,25）が遮断状態となっている。この状態では、第１右上開口（23）によって右上流路（53）と室外側上部流路（41）とが連通され、第１左下開口（26）によって室外側下部流路（42）と左下流路（56）とが連通される。
【００９３】
第２仕切板（30）では、第２左側開口（32）と第２左上開口（35）とが連通状態となり、残りの開口（31,33,34,36）が遮断状態となっている。この状態では、第２左側開口（32）によって室内側下部流路（47）と左側流路（52）とが連通され、第２左上開口（35）によって左上流路（55）と室内側上部流路（46）とが連通される。
【００９４】
左側シャッタ（62）は閉鎖状態となり、右側シャッタ（61）は開口状態となっている。この状態では、中央流路（57）における再生熱交換器（102）の右側部分と右下流路（54）とが、右側シャッタ（61）を介して連通される。
【００９５】
ケーシング（10）に取り込まれた第１空気は、室外側下部流路（42）から第１左下開口（26）を通って左下流路（56）へ流入する。一方、ケーシング（10）に取り込まれた第２空気は、室内側下部流路（47）から第２左側開口（32）を通って左側流路（52）へ流入する。
【００９６】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、左上流路（55）へ流入する。
【００９７】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から右下流路（54）へ流入する。
【００９８】
第２吸着素子（82）及び再生熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に右上流路（53）へ流入する。
【００９９】
図２に示すように、左上流路（55）へ流入した減湿後の第１空気は、第２左上開口（35）を通って室内側上部流路（46）へ送り込まれる。この第１空気は、室内側上部流路（46）を流れる間に第１熱交換器（103）を通過し、冷媒との熱交換によって冷却される。その後、減湿されて冷却された第１空気は、室内側吹出口（14）を通って室内へ供給される。
【０１００】
一方、右上流路（53）へ流入した第２空気は、第１右上開口（23）を通って室外側上部流路（41）へ流入する。この第２空気は、室外側上部流路（41）を流れる間に第２熱交換器（104）を通過する。その際、第２熱交換器（104）は休止しており、第２空気は加熱も冷却もされない。そして、第２吸着素子（82）の冷却と第１吸着素子（81）の再生に利用された第２空気は、室外側吹出口（16）を通って室外へ排出される。
【０１０１】
《加湿運転》
図３，図４に示すように、加湿運転時において、給気ファン（95）を駆動すると、室外空気が室外側吸込口（13）を通じてケーシング（10）内に取り込まれる。この室外空気は、第２空気として室外側下部流路（42）へ流入する。一方、排気ファン（96）を駆動すると、室内空気が室内側吸込口（15）を通じてケーシング（10）内に取り込まれる。この室内空気は、第１空気として室内側下部流路（47）へ流入する。
【０１０２】
また、加湿運転時において、冷媒回路（100）では、再生熱交換器（102）が凝縮器となり、第２熱交換器（104）が蒸発器となる一方、第１熱交換器（103）が休止している。この冷媒回路（100）の動作については後述する。
【０１０３】
加湿運転の第１動作について、図３，図５を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着剤が水蒸気を吸着する。
【０１０４】
図３に示すように、第１仕切板（20）では、第１右側開口（21）と第１右上開口（23）とが連通状態となり、残りの開口（22,24,25,26）が遮断状態となっている。この状態では、第１右側開口（21）によって室外側下部流路（42）と右側流路（51）とが連通され、第１右上開口（23）によって右上流路（53）と室外側上部流路（41）とが連通される。
【０１０５】
第２仕切板（30）では、第２右下開口（34）と第２左上開口（35）とが連通状態となり、残りの開口（31,32,33,36）が遮断状態となっている。この状態では、第２右下開口（34）によって室内側下部流路（47）と右下流路（54）とが連通され、第２左上開口（35）によって左上流路（55）と室内側上部流路（46）とが連通される。
【０１０６】
右側シャッタ（61）は閉鎖状態となり、左側シャッタ（62）は開口状態となっている。この状態では、中央流路（57）における再生熱交換器（102）の左側部分と左下流路（56）とが、左側シャッタ（62）を介して連通される。
【０１０７】
ケーシング（10）に取り込まれた第１空気は、室内側下部流路（47）から第２右下開口（34）を通って右下流路（54）へ流入する。一方、ケーシング（10）に取り込まれた第２空気は、室外側下部流路（42）から第１右側開口（21）を通って右側流路（51）へ流入する。
【０１０８】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、右上流路（53）へ流入する。
【０１０９】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から左下流路（56）へ流入する。
【０１１０】
第１吸着素子（81）及び再生熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に左上流路（55）へ流入する。
【０１１１】
図３に示すように、左上流路（55）へ流入した第２空気は、第２左上開口（35）を通って室内側上部流路（46）へ流入する。この第２空気は、室内側上部流路（46）を流れる間に第１熱交換器（103）を通過する。その際、第１熱交換器（103）は休止しており、第２空気は加熱も冷却もされない。そして、加湿された第２空気は、室内側吹出口（14）を通って室内へ供給される。
【０１１２】
一方、右上流路（53）へ流入した第１空気は、第１右上開口（23）を通って室外側上部流路（41）へ送り込まれる。この第１空気は、室外側上部流路（41）を流れる間に第２熱交換器（104）を通過し、冷媒との熱交換によって冷却される。その後、水分と熱を奪われた第１空気は、室外側吹出口（16）を通って室外へ排出される。
【０１１３】
加湿運転の第２動作について、図４，図５を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着剤が水蒸気を吸着する。
【０１１４】
図４に示すように、第１仕切板（20）では、第１左側開口（22）と第１左上開口（25）とが連通状態となり、残りの開口（21,23,24,26）が遮断状態となっている。この状態では、第１左側開口（22）によって室外側下部流路（42）と左側流路（52）とが連通され、第１左上開口（25）によって左上流路（55）と室外側上部流路（41）とが連通される。
【０１１５】
第２仕切板（30）では、第２右上開口（33）と第２左下開口（36）とが連通状態となり、残りの開口（31,32,34,35）が遮断状態となっている。この状態では、第２右上開口（33）によって右上流路（53）と室内側上部流路（46）とが連通され、第２左下開口（36）によって室内側下部流路（47）と左下流路（56）とが連通される。
【０１１６】
左側シャッタ（62）は閉鎖状態となり、右側シャッタ（61）は開口状態となっている。この状態では、中央流路（57）における再生熱交換器（102）の右側部分と右下流路（54）とが、右側シャッタ（61）を介して連通される。
【０１１７】
ケーシング（10）に取り込まれた第１空気は、室内側下部流路（47）から第２左下開口（36）を通って左下流路（56）へ流入する。一方、ケーシング（10）に取り込まれた第２空気は、室外側下部流路（42）から第１左側開口（22）を通って左側流路（52）へ流入する。
【０１１８】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、左上流路（55）へ流入する。
【０１１９】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から右下流路（54）へ流入する。
【０１２０】
第２吸着素子（82）及び再生熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に右上流路（53）へ流入する。
【０１２１】
図４に示すように、右上流路（53）へ流入した第２空気は、第２右上開口（33）を通って室内側上部流路（46）へ流入する。この第２空気は、室内側上部流路（46）を流れる間に第１熱交換器（103）を通過する。その際、第１熱交換器（103）は休止しており、第２空気は加熱も冷却もされない。そして、加湿された第２空気は、室内側吹出口（14）を通って室内へ供給される。
【０１２２】
一方、左上流路（55）へ流入した第１空気は、第１左上開口（25）を通って室外側上部流路（41）へ送り込まれる。この第１空気は、室外側上部流路（41）を流れる間に第２熱交換器（104）を通過し、冷媒との熱交換によって冷却される。その後、水分と熱を奪われた第１空気は、室外側吹出口（16）を通って室外へ排出される。
【０１２３】
《冷媒回路の動作》
冷媒回路（100）の動作について、図７，図８を参照しながら説明する。尚、図８に示す第１空気及び第２空気の流れは、第２動作時のものである。
【０１２４】
除湿運転時の動作について説明する。除湿運転時において、四方切換弁（120）は、第１ポート（121）と第４ポート（124）が互いに連通して第２ポート（122）と第３ポート（123）が互いに連通する状態となる。また、電動膨張弁（110）は、その開度が運転条件に応じて適宜調節される。
【０１２５】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）が蒸発器となり、第２熱交換器（104）が休止状態となる（図８(ａ)参照）。
【０１２６】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って電動膨張弁（110）へ送られる。この冷媒は、電動膨張弁（110）を通過する際に減圧される。電動膨張弁（110）で減圧された冷媒は、四方切換弁（120）を通って第１熱交換器（103）へ送られる。第１熱交換器（103）へ流入した冷媒は、第１空気との熱交換を行い、第１空気から吸熱して蒸発する。第１熱交換器（103）で蒸発した冷媒は、圧縮機（101）へ吸入されて圧縮され、その後に圧縮機（101）から吐出される。
【０１２７】
加湿運転時の動作について説明する。加湿運転時において、四方切換弁（120）は、第１ポート（121）と第２ポート（122）が互いに連通して第３ポート（123）と第４ポート（124）が互いに連通する状態となる。また、電動膨張弁（110）は、その開度が運転条件に応じて適宜調節される。
【０１２８】
この状態で圧縮機（101）を運転すると、冷媒回路（100）で冷媒が循環して冷凍サイクルが行われる。その際、冷媒回路（100）では、再生熱交換器（102）が凝縮器となり、第２熱交換器（104）が蒸発器となり、第１熱交換器（103）が休止状態となる（図８(ｂ)参照）。
【０１２９】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って電動膨張弁（110）へ送られる。この冷媒は、電動膨張弁（110）を通過する際に減圧される。電動膨張弁（110）で減圧された冷媒は、四方切換弁（120）を通って第２熱交換器（104）へ送られる。第２熱交換器（104）へ流入した冷媒は、第１空気との熱交換を行い、第１空気から吸熱して蒸発する。第２熱交換器（104）で蒸発した冷媒は、圧縮機（101）へ吸入されて圧縮され、その後に圧縮機（101）から吐出される。
【０１３０】
このように、加湿運転時の冷媒回路（100）で循環する冷媒は、第２熱交換器（104）で第１空気から吸熱し、再生熱交換器（102）で第２空気へ放熱する。つまり、第２熱交換器（104）では室外へ排気される第１空気からの熱回収が行われ、第２熱交換器（104）で回収された熱が再生熱交換器（102）における第２空気の加熱に利用される。
【０１３１】
−実施形態１の効果−
本実施形態の調湿装置では、加湿された第２空気を室内へ供給して水分を奪われた第１空気を室外へ排出する加湿運転時において、蒸発器となる第２熱交換器（104）で冷媒を第１空気と熱交換させることが可能である。このため、室内へ供給される加湿後の第２空気が冷媒との熱交換によって冷却され、第２空気中の水蒸気が凝縮して失われるといった事態を回避できる。従って、本実施形態によれば、加湿後の第２空気を室内へ供給可能な調湿装置において、その加湿性能を高く維持することができる。
【０１３２】
また、本実施形態の調湿装置では、室内へ向かう空気と冷媒を熱交換させるための第１熱交換器（103）と、室外へ向かう空気と冷媒を熱交換させるための第２熱交換器（104）とを冷媒回路（100）に設け、第１熱交換器（103）が蒸発器になる運転と第２熱交換器（104）が蒸発器になる運転とを切り換えている。このため、第１空気や第２空気を室内側又は室外側へ切り換える箇所よりも下流側に、第１熱交換器（103）と第２熱交換器（104）を設置することが可能となる。
【０１３３】
従って、本実施形態によれば、調湿装置の構成機器、特に蒸発器となり得る第１熱交換器（103）や第２熱交換器（104）のレイアウトに関する制約を小さくすることができる。そして、機器のレイアウトが制約されることに起因する問題、即ち調湿装置の設計自由度が損なわれたり、空気流路が複雑化して調湿装置が大型化するといった問題を確実に回避できる。
【０１３４】
ここで、本実施形態の調湿装置は、吸着素子（81,82）を複数備えており、第１吸着素子（81）へ第１空気を供給して吸着動作を行うと同時に第２吸着素子（82）へ第２空気を供給して再生動作を行う第１動作と、第２吸着素子（82）へ第１空気を供給して吸着動作を行うと同時に第１吸着素子（81）へ第２空気を供給して再生動作を行う第２動作とを交互に行うように構成されている。
【０１３５】
このようなバッチ式の動作を行う調湿装置において、蒸発器となる熱交換器を１つしか設けない場合には、次のような構成を採る必要がある。即ち、第１吸着素子（81）から出た第１空気と第２吸着素子（82）から出た第１空気との両方が流れる空気流路に蒸発器となる熱交換器を設置した上で、この熱交換器を通過した後の第１空気を室内側と室外側に切り換え可能な空気流路を形成しなければならない。このため、蒸発器となる熱交換器を設置するために空気流路を複雑化させねばならず、調湿装置が大型化するおそれがあった。
【０１３６】
これに対し、本実施形態の調湿装置では、蒸発器となりうる熱交換器（103,104）を２つ備えている。このため、ケーシング（10）内の室内側吹出口（14）付近に第１熱交換器（103）を配置すると共に、ケーシング（10）内の室外側吹出口（16）付近に第２熱交換器（104）を配置するレイアウトが可能となる。従って、本実施形態によれば、調湿装置における空気流路を簡素に維持でき、更にはケーシング（10）を扁平な形状とすることも可能となる。
【０１３７】
また、本実施形態の調湿装置では、除湿運転時において、第１空気を減湿し更に第１熱交換器（103）で冷却してから室内へ供給することができる。従って、この調湿装置によれば、室内の湿度調節だけでなく冷房をも行うことができる。
【０１３８】
更に、本実施形態の調湿装置では、加湿運転時において、第２熱交換器（104）で排気される第１空気から回収した熱を再生熱交換器（102）での第２空気の加熱に利用することが可能である。従って、この調湿装置によれば、排気される第１空気の内部エネルギを調湿装置の運転に有効利用できる。
【０１３９】
ここで、本実施形態の吸着素子（81,82）には、流通する空気が吸着剤と接触する調湿側通路（85）と、吸着動作時に調湿側通路（85）で生じる吸着熱を奪うための冷却用流体が流れる冷却側通路（86）とが形成されている。また、本実施形態の調湿装置において、第２空気は、冷却用流体として吸着素子（81,82）の冷却側通路（86）を通過した後に再生熱交換器（102）へ供給されて加熱される。
【０１４０】
つまり、本実施形態では、吸着素子（81,82）に冷却側通路（86）を形成し、吸着動作中に発生する吸着熱を冷却用流体としての第２空気によって奪っている。このため、吸着動作時の吸着素子（81,82）では、調湿側通路（85）で発生した吸着熱による第１空気の温度上昇を抑制することが可能となる。
【０１４１】
従って、本実施形態によれば、吸着素子（81,82）の調湿側通路（85）を流れる第１空気の相対湿度が過度に低下するのを回避でき、吸着素子（81,82）に吸着される水蒸気の量を増大させることができる。そして、吸着素子（81,82）における水分の吸着量を増大させることで、調湿装置を大型化させることなく、調湿装置の能力向上を図ることができる。
【０１４２】
また、本実施形態では、第２空気を先ず冷却用流体として吸着素子（81,82）の冷却側通路（86）へ導入し、この冷却側通路（86）から出た第２空気を再生熱交換器（102）で加熱している。つまり、吸着素子（81,82）の再生に用いられる第２空気は、再生熱交換器（102）だけでなく吸着素子（81,82）の冷却側通路（86）においても加熱される。従って、本実施形態によれば、再生熱交換器（102）で第２空気に与えねばならない熱量を削減でき、調湿装置の運転に要するエネルギを削減できる。
【０１４３】
【発明の実施の形態２】
本発明の実施形態２は、上記実施形態１において、冷媒回路（100）の構成を変更したものである。本実施形態の調湿装置において、冷媒回路（100）以外の構成は、上記実施形態１と同様である。
【０１４４】
図９に示すように、本実施形態の冷媒回路（100）は、冷媒の充填された閉回路である。この冷媒回路（100）には、圧縮機（101）、再生熱交換器（102）、第１熱交換器（103）、第２熱交換器（104）、レシーバ（105）、第１電動膨張弁（111）、及び第２電動膨張弁（112）が設けられている。この冷媒回路（100）では、冷媒を循環させることで蒸気圧縮式の冷凍サイクルが行われる。
【０１４５】
冷媒回路（100）において、圧縮機（101）の吐出側は、再生熱交換器（102）の一端に接続されている。再生熱交換器（102）の他端は、レシーバ（105）を介して第１電動膨張弁（111）の一端と第２電動膨張弁（112）の一端とに接続されている。第１電動膨張弁（111）の他端は、第１熱交換器（103）の一端に接続されている。第２電動膨張弁（112）の他端は、第２熱交換器（104）の一端に接続されている。第１熱交換器（103）の他端と第２熱交換器（104）の他端とは、それぞれが圧縮機（101）の吸入側に接続されている。
【０１４６】
−運転動作−
本実施形態の調湿装置は、除湿運転と加湿運転とを切り換えて行う。また、この調湿装置は、第１動作と第２動作とを交互に繰り返すことによって除湿運転や加湿運転を行う。
【０１４７】
上記調湿装置の運転動作は、冷媒回路（100）の動作を除いて、上記実施形態１と同様である。ここでは、本実施形態の冷媒回路（100）における動作について、図８〜図１０を参照しながら説明する。尚、図８，図１０に示す第１空気及び第２空気の流れは、第２動作時のものである。
【０１４８】
《除湿運転》
除湿運転時において、本実施形態の冷媒回路（100）では、２種類の運転動作が可能である。そして、除湿運転時には、２つの運転動作が適宜選択して行われる。
【０１４９】
除湿運転時の第１運転動作について説明する。この第１運転動作において、第１電動膨張弁（111）は、その開度が運転条件に応じて適宜調節される。一方、第２電動膨張弁（112）は、全閉状態とされる。
【０１５０】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）が蒸発器となり、第２熱交換器（104）が休止状態となる（図８(ａ)参照）。つまり、この第１運転動作時の冷媒回路（100）では、上記実施形態１の除湿運転時と同様の動作が行われる。
【０１５１】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って第１電動膨張弁（111）へ送られる。この冷媒は、第１電動膨張弁（111）を通過する際に減圧される。第１電動膨張弁（111）で減圧された冷媒は、第１熱交換器（103）へ送られる。第１熱交換器（103）へ流入した冷媒は、第１空気との熱交換を行い、第１空気から吸熱して蒸発する。第１熱交換器（103）で蒸発した冷媒は、圧縮機（101）へ吸入されて圧縮され、その後に圧縮機（101）から吐出される。
【０１５２】
除湿運転時の第２運転動作について説明する。この第２運転動作において、第１電動膨張弁（111）と第２電動膨張弁（112）は、それぞれの開度が運転条件に応じて適宜調節される。
【０１５３】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）と第２熱交換器（104）の両方が蒸発器となる（図１０(ａ)参照）。また、第１熱交換器（103）と第２熱交換器（104）は、冷媒の循環方向において互いに並列となっている。つまり、この第２運転動作時の冷媒回路（100）では、上記実施形態１の除湿運転時とは異なり、第２熱交換器（104）において冷媒と第２空気の熱交換が行われる。
【０１５４】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通過した後に二手に分流される。分流された冷媒は、その一方が第１電動膨張弁（111）へ送られ、他方が第２電動膨張弁（112）へ送られる。
【０１５５】
第１電動膨張弁（111）へ送られた冷媒は、第１電動膨張弁（111）を通過する際に減圧され、その後に第１熱交換器（103）へ送られる。第１熱交換器（103）へ流入した冷媒は、第１空気との熱交換を行い、第１空気から吸熱して蒸発する。一方、第２電動膨張弁（112）へ送られた冷媒は、第２電動膨張弁（112）を通過する際に減圧され、その後に第２熱交換器（104）へ送られる。第２熱交換器（104）へ流入した冷媒は、第２空気との熱交換を行い、第２空気から吸熱して蒸発する。第１熱交換器（103）で蒸発した冷媒と第２熱交換器（104）で蒸発した冷媒は、合流後に圧縮機（101）へ吸入されて圧縮され、その後に圧縮機（101）から吐出される。
【０１５６】
この第２運転動作時の冷媒回路（100）で循環する冷媒は、第２熱交換器（104）で第２空気から吸熱し、再生熱交換器（102）で第２空気へ放熱する。つまり、第２熱交換器（104）では室外へ排気される第２空気からの熱回収が行われ、第２熱交換器（104）で回収された熱が再生熱交換器（102）における第２空気の加熱に再利用される。
【０１５７】
《加湿運転》
加湿運転時において、本実施形態の冷媒回路（100）では、２種類の運転動作が可能である。そして、加湿運転時には、２つの運転動作が適宜選択して行われる。
【０１５８】
加湿運転時の第１運転動作について説明する。この第１運転動作において、第２電動膨張弁（112）は、その開度が運転条件に応じて適宜調節される。一方、第１電動膨張弁（111）は、全閉状態とされる。
【０１５９】
この状態で圧縮機（101）を運転すると、冷媒回路（100）で冷媒が循環して冷凍サイクルが行われる。その際、冷媒回路（100）では、再生熱交換器（102）が凝縮器となり、第２熱交換器（104）が蒸発器となり、第１熱交換器（103）が休止状態となる（図８(ｂ)参照）。つまり、この第１運転動作時の冷媒回路（100）では、上記実施形態１の加湿運転時と同様の動作が行われる。
【０１６０】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って第２電動膨張弁（112）へ送られる。この冷媒は、第２電動膨張弁（112）を通過する際に減圧される。第２電動膨張弁（112）で減圧された冷媒は、第２熱交換器（104）へ送られる。第２熱交換器（104）へ流入した冷媒は、第１空気との熱交換を行い、第１空気から吸熱して蒸発する。第２熱交換器（104）で蒸発した冷媒は、圧縮機（101）へ吸入されて圧縮され、その後に圧縮機（101）から吐出される。
【０１６１】
加湿運転時の第２運転動作について説明する。この第２運転動作において、第１電動膨張弁（111）と第２電動膨張弁（112）は、それぞれの開度が運転条件に応じて適宜調節される。
【０１６２】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）と第２熱交換器（104）の両方が蒸発器となる（図１０(ｂ)参照）。また、第１熱交換器（103）と第２熱交換器（104）は、冷媒の循環方向において互いに並列となっている。つまり、この第２運転動作時の冷媒回路（100）では、上記実施形態１の加湿運転時とは異なり、第１熱交換器（103）において冷媒と第２空気の熱交換が行われる。
【０１６３】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通過した後に二手に分流される。分流された冷媒は、その一方が第１電動膨張弁（111）へ送られ、他方が第２電動膨張弁（112）へ送られる。
【０１６４】
第１電動膨張弁（111）へ送られた冷媒は、第１電動膨張弁（111）を通過する際に減圧され、その後に第１熱交換器（103）へ送られる。第１熱交換器（103）へ流入した冷媒は、第２空気との熱交換を行い、第２空気から吸熱して蒸発する。一方、第２電動膨張弁（112）へ送られた冷媒は、第２電動膨張弁（112）を通過する際に減圧され、その後に第２熱交換器（104）へ送られる。第２熱交換器（104）へ流入した冷媒は、第１空気との熱交換を行い、第１空気から吸熱して蒸発する。第１熱交換器（103）で蒸発した冷媒と第２熱交換器（104）で蒸発した冷媒は、合流後に圧縮機（101）へ吸入されて圧縮され、その後に圧縮機（101）から吐出される。
【０１６５】
この第２運転動作を行う場合、加湿された第２空気は、第１熱交換器（103）で冷却された後に室内へ供給される。その際、第１熱交換器（103）で第２空気中の水分が結露するのを防止し、加湿量の減少を回避するのが望ましい。従って、この第２運転動作時には、第１熱交換器（103）での冷媒流量を第２熱交換器（104）での冷媒流量よりも少なく設定し、第１熱交換器（103）における冷媒の吸熱量を低く抑えるのが望ましい。
【０１６６】
また、加湿運転の第１及び第２運転動作時において、冷媒回路（100）で循環する冷媒は、第２熱交換器（104）で第１空気から吸熱し、再生熱交換器（102）で第２空気へ放熱する。つまり、第２熱交換器（104）では室外へ排気される第１空気からの熱回収が行われ、第２熱交換器（104）で回収された熱が再生熱交換器（102）における第２空気の加熱に利用される。
【０１６７】
−実施形態２の効果−
本実施形態によれば、上記実施形態１で得られる効果に加え、以下のような効果が発揮される。
【０１６８】
つまり、本実施形態の調湿装置では、除湿運転時において、排気される第２空気から回収した熱を再生熱交換器（102）での第２空気の加熱に再利用できる。従って、この調湿装置によれば、排気される第２空気の内部エネルギを調湿装置の運転に有効利用できる。
【０１６９】
また、本実施形態の調湿装置では、加湿運転時において、排気される第１空気から回収した熱を再生熱交換器（102）での第１空気の加熱に利用することができる。従って、この調湿装置によれば、排気される第１空気の内部エネルギを調湿装置の運転に有効利用できる。
【０１７０】
また、本実施形態の調湿装置では、加湿運転の第２運転動作時において、第２空気を加湿し更に冷却してから室内へ供給することができる。従って、この調湿装置によれば、室内の温度を上げずに加湿だけを行いたい場合に適した運転が可能となる。
【０１７１】
更に、この加湿運転の第２運転動作では、第１熱交換器（103）と第２熱交換器（104）の両方が蒸発器として機能する。従って、第２熱交換器（104）だけが蒸発器となる第１運転動作に比べ、冷凍サイクルにおける冷媒の吸熱量を減少させることなく、第２熱交換器（104）での冷媒蒸発温度を高く設定できる。このため、第２熱交換器（104）における着霜を回避することも可能となり、デフロストによる加湿運転の中断を回避することにより、加湿能力の向上を図ることができる。
【０１７２】
【発明の実施の形態３】
本発明の実施形態３は、上記実施形態１において、冷媒回路（100）の構成を変更したものである。本実施形態の調湿装置において、冷媒回路（100）以外の構成は、上記実施形態１と同様である。
【０１７３】
図１１に示すように、本実施形態の冷媒回路（100）は、冷媒の充填された閉回路である。この冷媒回路（100）には、圧縮機（101）、再生熱交換器（102）、第１熱交換器（103）、第２熱交換器（104）、レシーバ（105）、及び四方切換弁（120）が設けられている。また、冷媒回路（100）には、電動膨張弁（111,112）と逆止弁（151,152）とが２つずつ設けられている。この冷媒回路（100）では、冷媒を循環させることで蒸気圧縮式の冷凍サイクルが行われる。
【０１７４】
冷媒回路（100）において、圧縮機（101）の吐出側は、再生熱交換器（102）の一端と、四方切換弁（120）の第１ポート（121）とに接続されている。再生熱交換器（102）の他端は、レシーバ（105）を介して第１電動膨張弁（111）の一端と第２電動膨張弁（112）の一端とに接続されている。
【０１７５】
第１電動膨張弁（111）の他端は、第１逆止弁（151）を介して第１熱交換器（103）の一端に接続されている。第１熱交換器（103）の他端は、四方切換弁（120）の第４ポート（124）に接続されている。また、第２逆止弁（152）は、第１逆止弁（151）と第１熱交換器（103）の間と、再生熱交換器（102）とレシーバ（105）の間を接続する配管に設けられている。第１逆止弁（151）は、第１電動膨張弁（111）から第１熱交換器（103）へ向かう冷媒の流通のみを許容するように設置されている。第２逆止弁（152）は、第１熱交換器（103）からレシーバ（105）へ向かう冷媒の流通のみを許容するように設置されている。
【０１７６】
一方、第２電動膨張弁（112）の他端は、第２熱交換器（104）の一端に接続されている。第２熱交換器（104）の他端と四方切換弁（120）の第３ポート（123）とは、それぞれが圧縮機（101）の吸入側に接続されている。また、四方切換弁（120）の第２ポート（122）は、キャピラリチューブ（CP）を介して圧縮機（101）の吸入側に接続されている。
【０１７７】
四方切換弁（120）は、第１ポート（121）と第２ポート（122）が互いに連通して第３ポート（123）と第４ポート（124）が互いに連通する状態と、第１ポート（121）と第４ポート（124）が互いに連通して第２ポート（122）と第３ポート（123）が互いに連通する状態とに切り換わる。
【０１７８】
尚、上記冷媒回路（100）では、キャピラリチューブ（CP）を介して四方切換弁（120）の第２ポート（122）を圧縮機（101）の吸入側に接続しているが、これは液封状態の回避を目的としたものである。つまり、実質的に四方切換弁（120）の第２ポート（122）は閉塞されており、上記冷媒回路（100）では四方切換弁（120）が三方弁として用いられている。従って、この冷媒回路（100）では、四方切換弁（120）に代えて三方弁を用いてもよい。
【０１７９】
−運転動作−
本実施形態の調湿装置は、除湿運転と加湿運転とを切り換えて行う。また、この調湿装置は、第１動作と第２動作とを交互に繰り返すことによって除湿運転や加湿運転を行う。
【０１８０】
上記調湿装置の運転動作は、冷媒回路（100）の動作を除いて、上記実施形態１と同様である。ここでは、本実施形態の冷媒回路（100）における動作について、図８，図１０〜図１２を参照しながら説明する。尚、図８，図１０，図１２に示す第１空気及び第２空気の流れは、第２動作時のものである。
【０１８１】
《除湿運転》
除湿運転時において、本実施形態の冷媒回路（100）では、２種類の運転動作が可能である。そして、除湿運転時には、２つの運転動作が適宜選択して行われる。
【０１８２】
除湿運転時の第１運転動作について説明する。この第１運転動作において、四方切換弁（120）は、第１ポート（121）と第２ポート（122）が互いに連通して第３ポート（123）と第４ポート（124）が互いに連通する状態となる。また、第１電動膨張弁（111）は開度が運転条件に応じて適宜調節され、第２電動膨張弁（112）は全閉状態とされる。
【０１８３】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）が蒸発器となり、第２熱交換器（104）が休止状態となる（図８(ａ)参照）。つまり、この第１運転動作時の冷媒回路（100）では、上記実施形態１の除湿運転時と同様の動作が行われる。
【０１８４】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って第１電動膨張弁（111）へ送られる。この冷媒は、第１電動膨張弁（111）を通過する際に減圧され、その後に第１逆止弁（151）を通って第１熱交換器（103）へ送られる。第１熱交換器（103）へ流入した冷媒は、第１空気との熱交換を行い、第１空気から吸熱して蒸発する。第１熱交換器（103）で蒸発した冷媒は、四方切換弁（120）を通って圧縮機（101）へ吸入される。圧縮機（101）へ吸入された冷媒は、圧縮された後に吐出される。
【０１８５】
除湿運転時の第２運転動作について説明する。この第２運転動作において、第１ポート（121）と第２ポート（122）が互いに連通して第３ポート（123）と第４ポート（124）が互いに連通する状態となる。また、第１電動膨張弁（111）と第２電動膨張弁（112）は、それぞれの開度が運転条件に応じて適宜調節される。
【０１８６】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）と第２熱交換器（104）の両方が蒸発器となる（図１０(ａ)参照）。また、第１熱交換器（103）と第２熱交換器（104）は、冷媒の循環方向において互いに並列となっている。つまり、この第２運転動作時の冷媒回路（100）では、上記実施形態１の除湿運転時とは異なり、第２熱交換器（104）において冷媒と第２空気の熱交換が行われる。
【０１８７】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通過した後に二手に分流される。分流された冷媒は、その一方が第１電動膨張弁（111）へ送られ、他方が第２電動膨張弁（112）へ送られる。
【０１８８】
第１電動膨張弁（111）へ送られた冷媒は、第１電動膨張弁（111）を通過する際に減圧され、その後に第１逆止弁（151）を通って第１熱交換器（103）へ送られる。第１熱交換器（103）へ流入した冷媒は、第１空気との熱交換を行い、第１空気から吸熱して蒸発する。第１熱交換器（103）で蒸発した冷媒は、四方切換弁（120）を通って圧縮機（101）へ吸入される。
【０１８９】
一方、第２電動膨張弁（112）へ送られた冷媒は、第２電動膨張弁（112）を通過する際に減圧され、その後に第２熱交換器（104）へ送られる。第２熱交換器（104）へ流入した冷媒は、第２空気との熱交換を行い、第２空気から吸熱して蒸発する。第２熱交換器（104）で蒸発した冷媒は、第１熱交換器（103）で蒸発した冷媒と合流した後に圧縮機（101）へ吸入される。圧縮機（101）へ吸入された冷媒は、圧縮された後に吐出される。
【０１９０】
この第２運転動作時の冷媒回路（100）で循環する冷媒は、第２熱交換器（104）で第２空気から吸熱し、再生熱交換器（102）で第２空気へ放熱する。つまり、第２熱交換器（104）では室外へ排気される第２空気からの熱回収が行われ、第２熱交換器（104）で回収された熱が再生熱交換器（102）における第２空気の加熱に再利用される。
【０１９１】
《加湿運転》
加湿運転時において、本実施形態の冷媒回路（100）では、３種類の運転動作が可能である。そして、加湿運転時には、３つの運転動作が適宜選択して行われる。
【０１９２】
加湿運転時の第１運転動作について説明する。この第１運転動作において、四方切換弁（120）は、第１ポート（121）と第２ポート（122）が互いに連通して第３ポート（123）と第４ポート（124）が互いに連通する状態となる。また、第１電動膨張弁（111）は全閉状態とされ、第２電動膨張弁（112）は開度が運転条件に応じて適宜調節される。
【０１９３】
この状態で圧縮機（101）を運転すると、冷媒回路（100）で冷媒が循環して冷凍サイクルが行われる。その際、冷媒回路（100）では、再生熱交換器（102）が凝縮器となり、第２熱交換器（104）が蒸発器となり、第１熱交換器（103）が休止状態となる（図８(ｂ)参照）。つまり、この第１運転動作時の冷媒回路（100）では、上記実施形態１の加湿運転時と同様の動作が行われる。
【０１９４】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通って第２電動膨張弁（112）へ送られる。この冷媒は、第２電動膨張弁（112）を通過する際に減圧され、その後に第２熱交換器（104）へ送られる。第２熱交換器（104）へ流入した冷媒は、第１空気との熱交換を行い、第１空気から吸熱して蒸発する。第２熱交換器（104）で蒸発した冷媒は、圧縮機（101）へ吸入されて圧縮され、その後に圧縮機（101）から吐出される。
【０１９５】
加湿運転時の第２運転動作について説明する。この第２運転動作において、第１ポート（121）と第２ポート（122）が互いに連通して第３ポート（123）と第４ポート（124）が互いに連通する状態となる。また、第１電動膨張弁（111）と第２電動膨張弁（112）は、それぞれの開度が運転条件に応じて適宜調節される。
【０１９６】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）と第２熱交換器（104）の両方が蒸発器となる（図１０(ｂ)参照）。また、第１熱交換器（103）と第２熱交換器（104）は、冷媒の循環方向において互いに並列となっている。つまり、この第２運転動作時の冷媒回路（100）では、上記実施形態１の加湿運転時とは異なり、第１熱交換器（103）において冷媒と第２空気の熱交換が行われる。
【０１９７】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通過した後に二手に分流される。分流された冷媒は、その一方が第１電動膨張弁（111）へ送られ、他方が第２電動膨張弁（112）へ送られる。
【０１９８】
第１電動膨張弁（111）へ送られた冷媒は、第１電動膨張弁（111）を通過する際に減圧され、その後に第１逆止弁（151）を通って第１熱交換器（103）へ送られる。第１熱交換器（103）へ流入した冷媒は、第２空気との熱交換を行い、第２空気から吸熱して蒸発する。第１熱交換器（103）で蒸発した冷媒は、四方切換弁（120）を通って圧縮機（101）へ吸入される。
【０１９９】
一方、第２電動膨張弁（112）へ送られた冷媒は、第２電動膨張弁（112）を通過する際に減圧され、その後に第２熱交換器（104）へ送られる。第２熱交換器（104）へ流入した冷媒は、第１空気との熱交換を行い、第１空気から吸熱して蒸発する。第２熱交換器（104）で蒸発した冷媒は、第１熱交換器（103）で蒸発した冷媒と合流した後に圧縮機（101）へ吸入される。圧縮機（101）へ吸入された冷媒は、圧縮された後に吐出される。
【０２００】
この第２運転動作を行う場合、加湿された第２空気は、第１熱交換器（103）で冷却された後に室内へ供給される。その際、第１熱交換器（103）で第２空気中の水分が結露するのを防止し、加湿量の減少を回避するのが望ましい。従って、この第２運転動作時には、第１熱交換器（103）での冷媒流量を第２熱交換器（104）での冷媒流量よりも少なく設定し、第１熱交換器（103）における冷媒の吸熱量を低く抑えるのが望ましい。
【０２０１】
加湿運転時の第３運転動作について説明する。この第３運転動作において、四方切換弁（120）は、第１ポート（121）と第４ポート（124）が互いに連通して第２ポート（122）と第３ポート（123）が互いに連通する状態となる。また、第１電動膨張弁（111）は全閉状態とされ、第２電動膨張弁（112）は開度が運転条件に応じて適宜調節される。
【０２０２】
この状態で圧縮機（101）を運転すると、冷媒回路（100）で冷媒が循環して冷凍サイクルが行われる。その際、冷媒回路（100）では、再生熱交換器（102）と第１熱交換器（103）の両方が凝縮器となり、第２熱交換器（104）が蒸発器となる（図１２参照）。また、再生熱交換器（102）と第１熱交換器（103）は、冷媒の循環方向において互いに並列となっている。つまり、この第２運転動作時の冷媒回路（100）では、上記実施形態１の加湿運転時とは異なり、第１熱交換器（103）において冷媒と第２空気の熱交換が行われる。
【０２０３】
具体的に、圧縮機（101）から吐出された冷媒は、二手に分流される。分流された冷媒は、その一方が再生熱交換器（102）へ送られ、他方が四方切換弁（120）を通って第１熱交換器（103）へ送られる。
【０２０４】
再生熱交換器（102）へ流入した冷媒は、第２空気との熱交換を行い、第２空気に放熱して凝縮する。再生熱交換器（102）で凝縮した冷媒は、レシーバ（105）へ流入する。一方、第１熱交換器（103）へ流入した冷媒は、第２空気との熱交換を行い、第２空気に放熱して凝縮する。第１熱交換器（103）で凝縮した冷媒は、第２逆止弁（152）を通り、再生熱交換器（102）で凝縮した冷媒と共にレシーバ（105）へ流入する。
【０２０５】
レシーバ（105）から流出した冷媒は、第２電動膨張弁（112）へ送られる。この冷媒は、第２電動膨張弁（112）を通過する際に減圧され、その後に第２熱交換器（104）へ送られる。第２熱交換器（104）へ流入した冷媒は、第１空気との熱交換を行い、第１空気から吸熱して蒸発する。第２熱交換器（104）で蒸発した冷媒は、圧縮機（101）へ吸入されて圧縮され、その後に圧縮機（101）から吐出される。
【０２０６】
この第３運転動作時において、第１熱交換器（103）では、吸着素子（81,82）を通過後の第２空気に対して冷媒が放熱する。つまり、第２空気は、吸着素子（81,82）で加湿され、更に第１熱交換器（103）で加熱されてから室内へ供給される。
【０２０７】
加湿運転の第１，第２及び第３運転動作時において、冷媒回路（100）で循環する冷媒は、第２熱交換器（104）で第１空気から吸熱し、再生熱交換器（102）で第２空気へ放熱する。つまり、第２熱交換器（104）では室外へ排気される第１空気からの熱回収が行われ、第２熱交換器（104）で回収された熱が再生熱交換器（102）における第２空気の加熱に利用される。
【０２０８】
−実施形態３の効果−
本実施形態によれば、上記実施形態１及び実施形態２で得られる効果に加え、以下のような効果が発揮される。
【０２０９】
つまり、本実施形態の調湿装置では、加湿運転の第３運転動作時において、第２空気を加湿し更に加熱してから室内へ供給することができる。従って、この調湿装置によれば、室内の湿度調節だけでなく暖房をも行うことができる。また、この運転時の冷媒回路（100）では、共に凝縮器として機能する再生熱交換器（102）と第１熱交換器（103）が互いに並列となる。このため、凝縮器となる再生熱交換器（102）と第１熱交換器（103）が互いに直列となる場合に比べると、第１熱交換器（103）で冷媒から第２空気へ付与される熱量を増大させることができ、暖房能力を充分に確保できる。
【０２１０】
【発明の実施の形態４】
本発明の実施形態４は、上記実施形態１において、冷媒回路（100）の構成を変更したものである。本実施形態の調湿装置において、冷媒回路（100）以外の構成は、上記実施形態１と同様である。
【０２１１】
図１３に示すように、本実施形態の冷媒回路（100）は、冷媒の充填された閉回路である。この冷媒回路（100）には、圧縮機（101）、再生熱交換器（102）、第１熱交換器（103）、第２熱交換器（104）、レシーバ（105）、及びブリッジ回路（106）が設けられている。また、冷媒回路（100）には、１つの電動膨張弁（110）と２つの四方切換弁（130,140）とが設けられている。この冷媒回路（100）では、冷媒を循環させることで蒸気圧縮式の冷凍サイクルが行われる。
【０２１２】
冷媒回路（100）において、圧縮機（101）の吐出側は、再生熱交換器（102）の一端と、第１四方切換弁（130）の第１ポート（131）とに接続されている。再生熱交換器（102）の他端は、レシーバ（105）を介して電動膨張弁（110）の一端に接続されている。電動膨張弁（110）の他端は、ブリッジ回路（106）を介して、第１熱交換器（103）の一端と第２熱交換器（104）の一端とに接続されている。また、ブリッジ回路（106）は、再生熱交換器（102）とレシーバ（105）の間の配管に接続されている。
【０２１３】
第１熱交換器（103）の他端は、第２四方切換弁（140）の第４ポート（144）に接続されている。第２熱交換器（104）の他端は、第２四方切換弁（140）の第２ポート（142）に接続されている。第２四方切換弁（140）の第１ポート（141）は、第１四方切換弁（130）の第４ポート（134）に接続されている。第１四方切換弁（130）の第３ポート（133）と第２四方切換弁（140）の第３ポート（143）とは、それぞれが圧縮機（101）の吸入側に接続されている。また、第１四方切換弁（130）の第２ポート（132）は、キャピラリチューブ（CP）を介して圧縮機（101）の吸入側に接続されている。
【０２１４】
ブリッジ回路（106）は、４つの逆止弁（151〜154）をブリッジ状に接続したものである。このブリッジ回路（106）では、第１逆止弁（151）と第２逆止弁（152）の間に第１熱交換器（103）が、第２逆止弁（152）と第３逆止弁（153）の間に電動膨張弁（110）が、第３逆止弁（153）と第４逆止弁（154）の間に第２熱交換器（104）が、第４逆止弁（154）と第１逆止弁（151）の間にレシーバ（105）が、それぞれ接続されている。
【０２１５】
このブリッジ回路（106）において、第１逆止弁（151）は、第１熱交換器（103）からレシーバ（105）へ向かう冷媒の流通のみを許容するように設置されている。第２逆止弁（152）は、電動膨張弁（110）から第１熱交換器（103）へ向かう冷媒の流通のみを許容するように設置されている。第３逆止弁（153）は、電動膨張弁（110）から第２熱交換器（104）へ向かう冷媒の流通のみを許容するように設置されている。第４逆止弁（154）は、第２熱交換器（104）からレシーバ（105）へ向かう冷媒の流通のみを許容するように設置されている。
【０２１６】
第１四方切換弁（130）は、第１ポート（131）と第２ポート（132）が互いに連通して第３ポート（133）と第４ポート（134）が互いに連通する状態と、第１ポート（131）と第４ポート（134）が互いに連通して第２ポート（132）と第３ポート（133）が互いに連通する状態とに切り換わる。また、第２四方切換弁（140）は、第１ポート（141）と第２ポート（142）が互いに連通して第３ポート（143）と第４ポート（144）が互いに連通する状態と、第１ポート（141）と第４ポート（144）が互いに連通して第２ポート（142）と第３ポート（143）が互いに連通する状態とに切り換わる。
【０２１７】
尚、上記冷媒回路（100）では、キャピラリチューブ（CP）を介して第１四方切換弁（130）の第２ポート（132）を圧縮機（101）の吸入側に接続しているが、これは液封状態の回避を目的としたものである。つまり、実質的に第１四方切換弁（130）の第２ポート（132）は閉塞されており、上記冷媒回路（100）では第１四方切換弁（130）が三方弁として用いられている。従って、この冷媒回路（100）では、第１四方切換弁（130）に代えて三方弁を用いてもよい。
【０２１８】
−運転動作−
本実施形態の調湿装置は、除湿運転と加湿運転とを切り換えて行う。また、この調湿装置は、第１動作と第２動作とを交互に繰り返すことによって除湿運転や加湿運転を行う。
【０２１９】
上記調湿装置の運転動作は、冷媒回路（100）の動作を除いて、上記実施形態１と同様である。ここでは、本実施形態の冷媒回路（100）における動作について、図１０，図１３，図１４を参照しながら説明する。尚、図１０，図１４に示す第１空気及び第２空気の流れは、第２動作時のものである。
【０２２０】
《除湿運転》
除湿運転時において、本実施形態の冷媒回路（100）では、２種類の運転動作が可能である。そして、除湿運転時には、２つの運転動作が適宜選択して行われる。
【０２２１】
除湿運転時の第１運転動作について説明する。この第１運転動作において、第１四方切換弁（130）は、第１ポート（131）と第２ポート（132）が互いに連通して第３ポート（133）と第４ポート（134）が互いに連通する状態となり、第２四方切換弁（140）は、第１ポート（141）と第４ポート（144）が互いに連通して第２ポート（142）と第３ポート（143）が互いに連通する状態となる。また、電動膨張弁（110）は、その開度が運転条件に応じて適宜調節される。
【０２２２】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）と第２熱交換器（104）の両方が蒸発器となる（図１０(ａ)参照）。また、第１熱交換器（103）と第２熱交換器（104）は、冷媒の循環方向において互いに並列となっている。つまり、この第２運転動作時の冷媒回路（100）では、上記実施形態１の除湿運転時とは異なり、第２熱交換器（104）において冷媒と第２空気の熱交換が行われる。
【０２２３】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通過して電動膨張弁（110）へ送られる。この冷媒は、電動膨張弁（110）を通過する際に減圧され、その後にブリッジ回路（106）へ送られる。ブリッジ回路（106）へ流入した冷媒は、二手に分流される。分流された冷媒は、その一方が第２逆止弁（152）を通って第１熱交換器（103）へ送られ、他方が第３逆止弁（153）を通って第２熱交換器（104）へ送られる。
【０２２４】
第１熱交換器（103）へ流入した冷媒は、第１空気との熱交換を行い、第１空気から吸熱して蒸発する。第１熱交換器（103）で蒸発した冷媒は、第２四方切換弁（140）を第４ポート（144）から第１ポート（141）へと通過し、その後に第１四方切換弁（130）を第４ポート（134）から第３ポート（133）へと通過して圧縮機（101）へ吸入される。一方、第２熱交換器（104）へ流入した冷媒は、第２空気との熱交換を行い、第２空気から吸熱して蒸発する。第２熱交換器（104）で蒸発した冷媒は、第２四方切換弁（140）を第２ポート（142）から第３ポート（143）へと通過し、その後に第１熱交換器（103）で蒸発した冷媒と合流して圧縮機（101）へ吸入される。圧縮機（101）へ吸入された冷媒は、圧縮された後に吐出される。
【０２２５】
この第１運転動作時の冷媒回路（100）で循環する冷媒は、第２熱交換器（104）で第２空気から吸熱し、再生熱交換器（102）で第２空気へ放熱する。つまり、第２熱交換器（104）では室外へ排気される第２空気からの熱回収が行われ、第２熱交換器（104）で回収された熱が再生熱交換器（102）における第２空気の加熱に再利用される。
【０２２６】
尚、ここでは、第１運転動作時において、第２四方切換弁（140）を第１ポート（141）と第４ポート（144）が互いに連通して第２ポート（142）と第３ポート（143）が互いに連通する状態としているが、第２四方切換弁（140）を第１ポート（141）と第２ポート（142）が互いに連通して第３ポート（143）と第４ポート（144）が互いに連通する状態としても、この運転は可能である。この場合には、第１熱交換器（103）で蒸発した冷媒が第２四方切換弁（140）だけを通って圧縮機（101）に吸入され、第２熱交換器（104）で蒸発した冷媒が第２四方切換弁（140）と第１四方切換弁（130）を順に通って圧縮機（101）に吸入される。
【０２２７】
除湿運転時の第２運転動作について説明する。この第２運転動作において、第１四方切換弁（130）は、第１ポート（131）と第４ポート（134）が互いに連通して第２ポート（132）と第３ポート（133）が互いに連通する状態となり、第２四方切換弁（140）は、第１ポート（141）と第２ポート（142）が互いに連通して第３ポート（143）と第４ポート（144）が互いに連通する状態となる。また、電動膨張弁（110）は、その開度が運転条件に応じて適宜調節される。
【０２２８】
この状態で圧縮機（101）を運転すると、冷媒回路（100）で冷媒が循環して冷凍サイクルが行われる。その際、冷媒回路（100）では、再生熱交換器（102）と第２熱交換器（104）の両方が凝縮器となり、第１熱交換器（103）が蒸発器となる（図１４(ａ)参照）。また、再生熱交換器（102）と第２熱交換器（104）は、冷媒の循環方向において互いに並列となっている。つまり、この第２運転動作時の冷媒回路（100）では、上記実施形態１の除湿運転時とは異なり、第２熱交換器（104）において冷媒と第２空気の熱交換が行われる。
【０２２９】
具体的に、圧縮機（101）から吐出された冷媒は、二手に分流される。分流された冷媒は、その一方が再生熱交換器（102）へ送られ、他方が第１四方切換弁（130）へ送られる。また、第１四方切換弁（130）へ送られた冷媒は、第１四方切換弁（130）を第１ポート（131）から第４ポート（134）へと通過し、更に第２四方切換弁（140）を第１ポート（141）から第２ポート（142）へと通過して第２熱交換器（104）へ送られる。
【０２３０】
再生熱交換器（102）へ流入した冷媒は、第２空気との熱交換を行い、第２空気に放熱して凝縮する。再生熱交換器（102）で凝縮した冷媒は、レシーバ（105）へ流入する。一方、第２熱交換器（104）へ流入した冷媒は、第２空気との熱交換を行い、第２空気に放熱して凝縮する。第２熱交換器（104）で凝縮した冷媒は、ブリッジ回路（106）の第４逆止弁（154）を通り、再生熱交換器（102）で凝縮した冷媒と共にレシーバ（105）へ流入する。
【０２３１】
レシーバ（105）から流出した冷媒は、電動膨張弁（110）へ送られ、この電動膨張弁（110）を通過する際に減圧される。電動膨張弁（110）で減圧された冷媒は、ブリッジ回路（106）の第２逆止弁（152）を通り、第１熱交換器（103）へ送られる。第１熱交換器（103）へ流入した冷媒は、第１空気との熱交換を行い、第１空気から吸熱して蒸発する。第１熱交換器（103）で蒸発した冷媒は、第２四方切換弁（140）を第４ポート（144）から第３ポート（143）へと通過し、その後に圧縮機（101）へ吸入される。圧縮機（101）へ吸入された冷媒は、圧縮された後に吐出される。
【０２３２】
《加湿運転》
加湿運転時において、本実施形態の冷媒回路（100）では、２種類の運転動作が可能である。そして、加湿運転時には、２つの運転動作が適宜選択して行われる。
【０２３３】
加湿運転時の第１運転動作について説明する。この第１運転動作において、第１四方切換弁（130）は、第１ポート（131）と第２ポート（132）が互いに連通して第３ポート（133）と第４ポート（134）が互いに連通する状態となり、第２四方切換弁（140）は、第１ポート（141）と第４ポート（144）が互いに連通して第２ポート（142）と第３ポート（143）が互いに連通する状態となる。また、電動膨張弁（110）は、その開度が運転条件に応じて適宜調節される。
【０２３４】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）と第２熱交換器（104）の両方が蒸発器となる（図１０(ｂ)参照）。また、第１熱交換器（103）と第２熱交換器（104）は、冷媒の循環方向において互いに並列となっている。つまり、この第２運転動作時の冷媒回路（100）では、上記実施形態１の加湿運転時とは異なり、第１熱交換器（103）において冷媒と第２空気の熱交換が行われる。
【０２３５】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、レシーバ（105）を通過して電動膨張弁（110）へ送られる。この冷媒は、電動膨張弁（110）を通過する際に減圧され、その後にブリッジ回路（106）へ送られる。ブリッジ回路（106）へ流入した冷媒は、二手に分流される。分流された冷媒は、その一方が第２逆止弁（152）を通って第１熱交換器（103）へ送られ、他方が第３逆止弁（153）を通って第２熱交換器（104）へ送られる。
【０２３６】
第１熱交換器（103）へ流入した冷媒は、第２空気との熱交換を行い、第２空気から吸熱して蒸発する。第１熱交換器（103）で蒸発した冷媒は、第２四方切換弁（140）を第４ポート（144）から第１ポート（141）へと通過し、その後に第１四方切換弁（130）を第４ポート（134）から第３ポート（133）へと通過して圧縮機（101）へ吸入される。
【０２３７】
一方、第２熱交換器（104）へ流入した冷媒は、第１空気との熱交換を行い、第１空気から吸熱して蒸発する。第２熱交換器（104）で蒸発した冷媒は、第２四方切換弁（140）を第２ポート（142）から第３ポート（143）へと通過し、その後に第１熱交換器（103）で蒸発した冷媒と合流して圧縮機（101）へ吸入される。圧縮機（101）へ吸入された冷媒は、圧縮された後に吐出される。
【０２３８】
この第１運転動作時において、冷媒回路（100）で循環する冷媒は、第２熱交換器（104）で第１空気から吸熱し、再生熱交換器（102）で第２空気へ放熱する。つまり、第２熱交換器（104）では室外へ排気される第１空気からの熱回収が行われ、第２熱交換器（104）で回収された熱が再生熱交換器（102）における第２空気の加熱に利用される。
【０２３９】
尚、ここでは、第１運転動作時において、第２四方切換弁（140）を第１ポート（141）と第４ポート（144）が互いに連通して第２ポート（142）と第３ポート（143）が互いに連通する状態としているが、第２四方切換弁（140）を第１ポート（141）と第２ポート（142）が互いに連通して第３ポート（143）と第４ポート（144）が互いに連通する状態としても、この運転は可能である。この場合には、第１熱交換器（103）で蒸発した冷媒が第２四方切換弁（140）だけを通って圧縮機（101）に吸入され、第２熱交換器（104）で蒸発した冷媒が第２四方切換弁（140）と第１四方切換弁（130）を順に通って圧縮機（101）に吸入される。
【０２４０】
加湿運転時の第２運転動作について説明する。この第２運転動作において、第１四方切換弁（130）と第２四方切換弁（140）は、共に、第１ポート（131,141）と第４ポート（134,144）が互いに連通して第２ポート（132,142）と第３ポート（133,143）が互いに連通する状態となる。また、電動膨張弁（110）は、その開度が運転条件に応じて適宜調節される。
【０２４１】
この状態で圧縮機（101）を運転すると、冷媒回路（100）で冷媒が循環して冷凍サイクルが行われる。その際、冷媒回路（100）では、再生熱交換器（102）と第１熱交換器（103）の両方が凝縮器となり、第２熱交換器（104）が蒸発器となる（図１４(ｂ)参照）。また、再生熱交換器（102）と第１熱交換器（103）は、冷媒の循環方向において互いに並列となっている。つまり、この第２運転動作時の冷媒回路（100）では、上記実施形態１の加湿運転時とは異なり、第１熱交換器（103）において冷媒と第２空気の熱交換が行われる。
【０２４２】
具体的に、圧縮機（101）から吐出された冷媒は、二手に分流される。分流された冷媒は、その一方が再生熱交換器（102）へ送られ、他方が第１四方切換弁（130）へ送られる。また、第１四方切換弁（130）へ送られた冷媒は、第１四方切換弁（130）を第１ポート（131）から第４ポート（134）へと通過し、更に第２四方切換弁（140）を第１ポート（141）から第４ポート（144）へと通過して第１熱交換器（103）へ送られる。
【０２４３】
再生熱交換器（102）へ流入した冷媒は、第２空気との熱交換を行い、第２空気に放熱して凝縮する。再生熱交換器（102）で凝縮した冷媒は、レシーバ（105）へ流入する。一方、第１熱交換器（103）へ流入した冷媒は、第２空気との熱交換を行い、第２空気に放熱して凝縮する。第１熱交換器（103）で凝縮した冷媒は、ブリッジ回路（106）の第１逆止弁（151）を通り、再生熱交換器（102）で凝縮した冷媒と共にレシーバ（105）へ流入する。
【０２４４】
レシーバ（105）から流出した冷媒は、電動膨張弁（110）へ送られ、この電動膨張弁（110）を通過する際に減圧される。電動膨張弁（110）で減圧された冷媒は、ブリッジ回路（106）の第３逆止弁（153）を通り、第２熱交換器（104）へ送られる。第２熱交換器（104）へ流入した冷媒は、第１空気との熱交換を行い、第１空気から吸熱して蒸発する。第１熱交換器（103）で蒸発した冷媒は、第２四方切換弁（140）を第２ポート（142）から第３ポート（143）へと通過し、その後に圧縮機（101）へ吸入される。圧縮機（101）へ吸入された冷媒は、圧縮された後に吐出される。
【０２４５】
この第２運転動作時において、第１熱交換器（103）では、吸着素子（81,82）を通過後の第２空気に対して冷媒が放熱する。つまり、第２空気は、吸着素子（81,82）で加湿され、更に第１熱交換器（103）で加熱されてから室内へ供給される。
【０２４６】
加湿運転の第１及び第２運転動作時において、冷媒回路（100）で循環する冷媒は、第２熱交換器（104）で第１空気から吸熱し、再生熱交換器（102）で第２空気へ放熱する。つまり、第２熱交換器（104）では室外へ排気される第１空気からの熱回収が行われ、第２熱交換器（104）で回収された熱が再生熱交換器（102）における第２空気の加熱に利用される。
【０２４７】
本実施形態の調湿装置は、上述した各運転動作を行う。そして、本実施形態によれば、上記実施形態３と同様の効果が得られる。
【０２４８】
【発明の実施の形態５】
本発明の実施形態５は、上記実施形態１において、冷媒回路（100）の構成を変更したものである。本実施形態の調湿装置において、冷媒回路（100）以外の構成は、上記実施形態１と同様である。
【０２４９】
図１５に示すように、本実施形態の冷媒回路（100）は、冷媒の充填された閉回路である。この冷媒回路（100）には、圧縮機（101）、再生熱交換器（102）、第１熱交換器（103）、第２熱交換器（104）、レシーバ（105）、及びブリッジ回路（106）が設けられている。また、冷媒回路（100）には、１つの四方切換弁（120）と、２つの電動膨張弁（111,112）が設けられている。この冷媒回路（100）では、冷媒を循環させることで蒸気圧縮式の冷凍サイクルが行われる。
【０２５０】
冷媒回路（100）において、圧縮機（101）の吐出側は、再生熱交換器（102）の一端に接続されている。再生熱交換器（102）の他端は、第１電動膨張弁（111）の一端に接続されている。第１電動膨張弁（111）の他端は、四方切換弁（120）の第１ポート（121）に接続されている。四方切換弁（120）は、第２ポート（122）が第２熱交換器（104）の一端に、第３ポート（123）が圧縮機（101）の吸入側に、第４ポート（124）が第１熱交換器（103）の一端にそれぞれ接続されている。
【０２５１】
第１熱交換器（103）の他端と第２熱交換器（104）の他端とは、それぞれがブリッジ回路（106）に接続されている。第２電動膨張弁（112）は、その一端がレシーバ（105）を介してブリッジ回路（106）に接続され、他端がブリッジ回路（106）に直接に接続されている。
【０２５２】
ブリッジ回路（106）は、４つの逆止弁（151〜154）をブリッジ状に接続したものである。このブリッジ回路（106）では、第１逆止弁（151）と第２逆止弁（152）の間に第１熱交換器（103）が、第２逆止弁（152）と第３逆止弁（153）の間に第２電動膨張弁（112）が、第３逆止弁（153）と第４逆止弁（154）の間に第２熱交換器（104）が、第４逆止弁（154）と第１逆止弁（151）の間にレシーバ（105）が、それぞれ接続されている。
【０２５３】
このブリッジ回路（106）において、第１逆止弁（151）は、第１熱交換器（103）からレシーバ（105）へ向かう冷媒の流通のみを許容するように設置されている。第２逆止弁（152）は、第２電動膨張弁（112）から第１熱交換器（103）へ向かう冷媒の流通のみを許容するように設置されている。第３逆止弁（153）は、第２電動膨張弁（112）から第２熱交換器（104）へ向かう冷媒の流通のみを許容するように設置されている。第４逆止弁（154）は、第２熱交換器（104）からレシーバ（105）へ向かう冷媒の流通のみを許容するように設置されている。
【０２５４】
四方切換弁（120）は、第１ポート（121）と第２ポート（122）が互いに連通して第３ポート（123）と第４ポート（124）が互いに連通する状態と、第１ポート（121）と第４ポート（124）が互いに連通して第２ポート（122）と第３ポート（123）が互いに連通する状態とにそれぞれ切り換わる。
【０２５５】
−運転動作−
本実施形態の調湿装置は、除湿運転と加湿運転とを切り換えて行う。また、この調湿装置は、第１動作と第２動作とを交互に繰り返すことによって除湿運転や加湿運転を行う。
【０２５６】
上記調湿装置の運転動作は、冷媒回路（100）の動作を除いて、上記実施形態１と同様である。ここでは、本実施形態の冷媒回路（100）における動作について、図１５〜図１７を参照しながら説明する。尚、図１６，図１７に示す第１空気及び第２空気の流れは、第２動作時のものである。
【０２５７】
《除湿運転》
除湿運転時において、本実施形態の冷媒回路（100）では、２種類の運転動作が可能である。そして、除湿運転時には、２つの運転動作が適宜選択して行われる。
【０２５８】
除湿運転時の第１運転動作について説明する。この第１運転動作において、四方切換弁（120）は、第１ポート（121）と第４ポート（124）が互いに連通して第２ポート（122）と第３ポート（123）が互いに連通する状態となる。また、第１電動膨張弁（111）は開度が運転条件に応じて適宜調節され、第２電動膨張弁（112）は全開状態とされる。
【０２５９】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）と第２熱交換器（104）の両方が蒸発器となる（図１６(ａ)参照）。また、第１熱交換器（103）と第２熱交換器（104）は、冷媒の循環方向において互いに直列となっている。つまり、この第２運転動作時の冷媒回路（100）では、上記実施形態１の除湿運転時とは異なり、第２熱交換器（104）において冷媒と第２空気の熱交換が行われる。
【０２６０】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、電動膨張弁（110）へ送られる。この冷媒は、電動膨張弁（110）を通過する際に減圧され、その後に四方切換弁（120）を通って第１熱交換器（103）へ送られる。
【０２６１】
第１熱交換器（103）へ流入した冷媒は、第１空気との熱交換を行い、第１空気から吸熱してその一部が蒸発する。第１熱交換器（103）から出た冷媒は、順に、ブリッジ回路（106）の第１逆止弁（151）、レシーバ（105）、第２電動膨張弁（112）、ブリッジ回路（106）の第３逆止弁（153）を通って第２熱交換器（104）へ送られる。第２熱交換器（104）へ流入した冷媒は、第２空気との熱交換を行い、第２空気から吸熱して蒸発する。第２熱交換器（104）から出た冷媒は、四方切換弁（120）を通って圧縮機（101）へ吸入される。圧縮機（101）へ吸入された冷媒は、圧縮された後に吐出される。
【０２６２】
この第１運転動作時の冷媒回路（100）で循環する冷媒は、第２熱交換器（104）で第２空気から吸熱し、再生熱交換器（102）で第２空気へ放熱する。つまり、第２熱交換器（104）では室外へ排気される第２空気からの熱回収が行われ、第２熱交換器（104）で回収された熱が再生熱交換器（102）における第２空気の加熱に再利用される。
【０２６３】
除湿運転時の第２運転動作について説明する。この第２運転動作において、四方切換弁（120）は、第１ポート（121）と第２ポート（122）が互いに連通して第３ポート（123）と第４ポート（124）が互いに連通する状態となる。また、第１電動膨張弁（111）は全開状態とされ、第２電動膨張弁（112）は開度が運転条件に応じて適宜調節される。
【０２６４】
この状態で圧縮機（101）を運転すると、冷媒回路（100）で冷媒が循環して冷凍サイクルが行われる。その際、冷媒回路（100）では、再生熱交換器（102）と第２熱交換器（104）の両方が凝縮器となり、第１熱交換器（103）が蒸発器となる（図１７(ａ)参照）。また、再生熱交換器（102）と第２熱交換器（104）は、冷媒の循環方向において互いに直列となっている。つまり、この第２運転動作時の冷媒回路（100）では、上記実施形態１の除湿運転時とは異なり、第２熱交換器（104）において冷媒と第２空気の熱交換が行われる。
【０２６５】
具体的に、圧縮機（101）から吐出された冷媒は、再生熱交換器（102）へ送られる。再生熱交換器（102）へ流入した冷媒は、第２空気との熱交換を行い、第２空気に放熱してその一部が凝縮する。再生熱交換器（102）から出た冷媒は、順に第１電動膨張弁（111）と四方切換弁（120）を通って第２熱交換器（104）へ送られる。第２熱交換器（104）へ流入した冷媒は、第２空気との熱交換を行い、第２空気に放熱して凝縮する。
【０２６６】
第２熱交換器（104）から出た冷媒は、順にブリッジ回路（106）の第４逆止弁（154）とレシーバ（105）を通って第２電動膨張弁（112）へ送られる。この冷媒は、第２電動膨張弁（112）を通過する際に減圧され、その後にブリッジ回路（106）の第２逆止弁（152）を通って第１熱交換器（103）へ送られる。第１熱交換器（103）へ流入した冷媒は、第１空気との熱交換を行い、第１空気から吸熱して蒸発する。第１熱交換器（103）で蒸発した冷媒は、四方切換弁（120）を通って圧縮機（101）へ吸入される。圧縮機（101）へ吸入された冷媒は、圧縮された後に吐出される。
【０２６７】
尚、ここでは、第２運転動作時において、再生熱交換器（102）と第２熱交換器（104）の両方を凝縮器としたが、再生熱交換器（102）を凝縮器として第２熱交換器（104）を過冷却器とすることも可能である。この場合、再生熱交換器（102）では流入したガス冷媒の全てが凝縮し、第２熱交換器（104）へ送られる冷媒は液冷媒だけとなる。そして、第２熱交換器（104）では、流入した液冷媒が第２空気へ放熱して過冷却状態となる。
【０２６８】
この第２運転動作時において、冷媒回路（100）を循環する冷媒は、再生熱交換器（102）と第２熱交換器（104）の両方で放熱した後に第１熱交換器（103）へ送られる。従って、蒸発器となる第１熱交換器（103）に対しては、よりエンタルピの低い冷媒が送り込まれる。
【０２６９】
《加湿運転》
加湿運転時において、本実施形態の冷媒回路（100）では、２種類の運転動作が可能である。そして、加湿運転時には、２つの運転動作が適宜選択して行われる。
【０２７０】
加湿運転時の第１運転動作について説明する。この第１運転動作において、四方切換弁（120）は、第１ポート（121）と第２ポート（122）が互いに連通して第３ポート（123）と第４ポート（124）が互いに連通する状態となる。また、第１電動膨張弁（111）は開度が運転条件に応じて適宜調節され、第２電動膨張弁（112）は全開状態とされる。
【０２７１】
この状態で圧縮機（101）を運転すると、冷媒回路（100）で冷媒が循環して冷凍サイクルが行われる。その際、冷媒回路（100）では、再生熱交換器（102）が凝縮器となり、第１熱交換器（103）と第２熱交換器（104）の両方が蒸発器となる（図１６(ｂ)参照）。また、第２熱交換器（104）と第１熱交換器（103）は、冷媒の循環方向において互いに直列となっている。つまり、この第２運転動作時の冷媒回路（100）では、上記実施形態１の加湿運転時とは異なり、第１熱交換器（103）において冷媒と第２空気の熱交換が行われる。
【０２７２】
具体的に、圧縮機（101）から吐出された冷媒は、再生熱交換器（102）へ送られる。再生熱交換器（102）へ流入した冷媒は、第２空気との熱交換を行い、第２空気に放熱して凝縮する。再生熱交換器（102）で凝縮した冷媒は、電動膨張弁（110）へ送られる。この冷媒は、電動膨張弁（110）を通過する際に減圧され、その後に四方切換弁（120）を通って第２熱交換器（104）へ送られる。
【０２７３】
第２熱交換器（104）へ流入した冷媒は、第１空気との熱交換を行い、第１空気から吸熱してその一部が蒸発する。第２熱交換器（104）から出た冷媒は、順に、ブリッジ回路（106）の第４逆止弁（154）、レシーバ（105）、第２電動膨張弁（112）、ブリッジ回路（106）の第２逆止弁（152）を通って第１熱交換器（103）へ送られる。第１熱交換器（103）へ流入した冷媒は、第２空気との熱交換を行い、第２空気から吸熱して蒸発する。第１熱交換器（103）から出た冷媒は、四方切換弁（120）を通って圧縮機（101）へ吸入される。圧縮機（101）へ吸入された冷媒は、圧縮された後に吐出される。
【０２７４】
この第１運転動作時において、冷媒回路（100）で循環する冷媒は、第２熱交換器（104）で第１空気から吸熱し、再生熱交換器（102）で第２空気へ放熱する。つまり、第２熱交換器（104）では室外へ排気される第１空気からの熱回収が行われ、第２熱交換器（104）で回収された熱が再生熱交換器（102）における第２空気の加熱に利用される。
【０２７５】
この第１運転動作時において、第１熱交換器（103）では、吸着素子（81,82）を通過後の第２空気から冷媒が放熱する。つまり、第２空気は、吸着素子（81,82）で加湿され、更に第１熱交換器（103）で冷却されてから室内へ供給される。従って、この第１運転動作は、室内の温度上昇を避けつつ加湿を行いたい場合に適している。
【０２７６】
加湿運転時の第２運転動作について説明する。この第２運転動作において、四方切換弁（120）は、第１ポート（121）と第４ポート（124）が互いに連通して第２ポート（122）と第３ポート（123）が互いに連通する状態となる。また、第１電動膨張弁（111）は全開状態とされ、第２電動膨張弁（112）は開度が運転条件に応じて適宜調節される。
【０２７７】
この状態で圧縮機（101）を運転すると、冷媒回路（100）で冷媒が循環して冷凍サイクルが行われる。その際、冷媒回路（100）では、再生熱交換器（102）と第１熱交換器（103）の両方が凝縮器となり、第２熱交換器（104）が蒸発器となる（図１７(ｂ)参照）。また、再生熱交換器（102）と第１熱交換器（103）は、冷媒の循環方向において互いに直列となっている。つまり、この第２運転動作時の冷媒回路（100）では、上記実施形態１の加湿運転時とは異なり、第１熱交換器（103）において冷媒と第２空気の熱交換が行われる。
【０２７８】
具体的に、圧縮機（101）から吐出された冷媒は、再生熱交換器（102）へ送られる。再生熱交換器（102）へ流入した冷媒は、第２空気との熱交換を行い、第２空気に放熱してその一部が凝縮する。再生熱交換器（102）から出た冷媒は、順に第１電動膨張弁（111）と四方切換弁（120）を通って第１熱交換器（103）へ送られる。第１熱交換器（103）へ流入した冷媒は、第２空気との熱交換を行い、第２空気に放熱して凝縮する。
【０２７９】
第１熱交換器（103）から出た冷媒は、順にブリッジ回路（106）の第１逆止弁（151）とレシーバ（105）を通って第２電動膨張弁（112）へ送られる。この冷媒は、第２電動膨張弁（112）を通過する際に減圧され、その後にブリッジ回路（106）の第３逆止弁（153）を通って第２熱交換器（104）へ送られる。第２熱交換器（104）へ流入した冷媒は、第１空気との熱交換を行い、第１空気から吸熱して蒸発する。第２熱交換器（104）で蒸発した冷媒は、四方切換弁（120）を通って圧縮機（101）へ吸入される。圧縮機（101）へ吸入された冷媒は、圧縮された後に吐出される。
【０２８０】
尚、ここでは、第２運転動作時において、再生熱交換器（102）と第１熱交換器（103）の両方を凝縮器としたが、再生熱交換器（102）を凝縮器として第１熱交換器（103）を過冷却器とすることも可能である。この場合、再生熱交換器（102）では流入したガス冷媒の全てが凝縮し、第１熱交換器（103）へ送られる冷媒は液冷媒だけとなる。そして、第１熱交換器（103）では、流入した液冷媒が第２空気へ放熱して過冷却状態となる。
【０２８１】
この第２運転動作時において、第１熱交換器（103）では、吸着素子（81,82）を通過後の第２空気に対して冷媒が放熱する。つまり、第２空気は、吸着素子（81,82）で加湿され、更に第１熱交換器（103）で加熱されてから室内へ供給される。
【０２８２】
また、この第２運転動作時において、冷媒回路（100）を循環する冷媒は、再生熱交換器（102）と第１熱交換器（103）の両方で放熱した後に第２熱交換器（104）へ送られる。従って、蒸発器となる第２熱交換器（104）に対しては、よりエンタルピの低い冷媒が送り込まれる。
【０２８３】
また、加湿運転の第１及び第２運転動作時において、冷媒回路（100）で循環する冷媒は、第２熱交換器（104）で第１空気から吸熱し、再生熱交換器（102）で第２空気へ放熱する。つまり、第２熱交換器（104）では室外へ排気される第１空気からの熱回収が行われ、第２熱交換器（104）で回収された熱が再生熱交換器（102）における第２空気の加熱に利用される。
【０２８４】
−実施形態５の効果−
本実施形態５によれば、上記実施形態３で得られる効果に加え、以下のような効果が発揮される。
【０２８５】
本実施形態の調湿装置では、除湿運転の第２運転動作時において、再生熱交換器（102）と第２熱交換器（104）の両方で冷媒が第２空気へ放熱する。その際、第２熱交換器（104）が過冷却器となる場合があり、そのような場合は、第２熱交換器（104）の出口で冷媒が過冷却状態となる。
【０２８６】
この場合の冷凍サイクルについて、図１８を参照しながら説明する。圧縮機（101）から吐出された点Ａの状態の冷媒は、再生熱交換器（102）で第２空気へ放熱して点Ｂ'の状態となる。この点Ｂ'の状態の冷媒は、第２熱交換器（104）で第２空気へ放熱して点Ｂの状態となる。点Ｂの状態の状態の冷媒は、第２電動膨張弁（112）で減圧されて点Ｃの状態となり、その後に第１熱交換器（103）へ流入する。第１熱交換器（103）では、冷媒が第１空気から吸熱して蒸発し、点Ｃの状態から点Ｄの状態となる。点Ｄの状態の冷媒は、圧縮機（101）へ吸入されて圧縮され、再び点Ａの状態となる。
【０２８７】
このように、除湿運転の第２運転動作時には、放熱後の高圧冷媒を、点Ｂ'の状態よりもエンタルピの低い点Ｂの状態とすることができる。そして、蒸発器となる第１熱交換器（103）へ送られる冷媒の状態を、点Ｃ'の状態よりもエンタルピの低い点Ｃの状態とすることができる。従って、この運転動作を行えば、蒸発器となる第１熱交換器（103）へ送られる冷媒のエンタルピを低下させることができ、第１熱交換器（103）における冷媒の吸熱量を増大させて冷房能力を向上させることができる。
【０２８８】
また、本実施形態の調湿装置では、加湿運転第２運転動作時において、再生熱交換器（102）と第１熱交換器（103）の両方で冷媒が第２空気へ放熱する。その際、第１熱交換器（103）が過冷却器となる場合があり、そのような場合は、第１熱交換器（103）の出口で冷媒が過冷却状態となる。
【０２８９】
この場合の冷凍サイクルについて、図１８を参照しながら説明する。圧縮機（101）から吐出された点Ａの状態の冷媒は、再生熱交換器（102）で第２空気へ放熱して点Ｂ'の状態となる。この点Ｂ'の状態の冷媒は、第１熱交換器（103）で第２空気へ放熱して点Ｂの状態となる。点Ｂの状態の状態の冷媒は、第２電動膨張弁（112）で減圧されて点Ｃの状態となり、その後に第２熱交換器（104）へ流入する。第２熱交換器（104）では、冷媒が第１空気から吸熱して蒸発し、点Ｃの状態から点Ｄの状態となる。点Ｄの状態の冷媒は、圧縮機（101）へ吸入されて圧縮され、再び点Ａの状態となる。
【０２９０】
このように、加湿運転の第２運転動作時には、放熱後の高圧冷媒を、点Ｂ'の状態よりもエンタルピの低い点Ｂの状態とすることができる。そして、蒸発器となる第２熱交換器（104）へ送られる冷媒の状態を、点Ｃ'の状態よりもエンタルピの低い点Ｃの状態とすることができる。
【０２９１】
従って、この運転動作を行えば、蒸発器となる第２熱交換器（104）での冷媒の吸熱量を減少させずに、第２熱交換器（104）での冷媒の蒸発温度を高く設定することができる。このため、第２熱交換器（104）における着霜を防止でき、デフロストによる加湿運転の中断を回避して加湿能力を向上させることができる。更に、着霜の心配がない運転条件では、蒸発器となる第２熱交換器（104）へ送られる冷媒のエンタルピを低下させることにより、第２熱交換器（104）における冷媒の吸熱量を増大させて再生熱交換器（102）や第１熱交換器（103）での第２空気に対する加熱量を増大させることができる。
【０２９２】
また、本実施形態の冷媒回路（100）は、第１熱交換器（103）と第２熱交換器（104）の両方が蒸発器となる状態で、第１熱交換器（103）から第２熱交換器（104）へ冷媒が流れる運転と、第２熱交換器（104）から第１熱交換器（103）へ冷媒が流れる運転とを切り換え可能に構成されている（図１６参照）。従って、除湿運転時には、最もエンタルピの低い冷媒を第１熱交換器（103）へ供給でき、第１熱交換器（103）における冷媒の吸熱量を確保して第１空気を充分に冷却できる。更に、加湿運転時には、既に第２熱交換器（104）で吸熱した冷媒を第１熱交換器（103）へ供給でき、第２熱交換器（104）で結露が生じて第２空気中の水分が減少してしまうのを防止できる。
【０２９３】
−実施形態５の変形例１−
本実施形態の冷媒回路（100）は、第１熱交換器（103）と第２熱交換器（104）の両方が蒸発器となる状態（即ち、除湿運転や加湿運転の第１運転動作時の状態）において、下流側に位置する熱交換器（103,104）の能力を削ぐための動作を行うように構成してもよい。
【０２９４】
具体的に、本変形例の冷媒回路（100）では、下流側の第１又は第２熱交換器（103,104）をバイパスする配管が設けられ、冷媒回路（100）を循環する冷媒の一部だけが下流側の第１又は第２熱交換器（103,104）へ供給される。例えば、除湿運転の第１運転動作を行う冷媒回路（100）では、第１熱交換器（103）から出た冷媒の一部だけが第２熱交換器（104）へ導入され、この一部の冷媒だけが第２熱交換器（104）で第２空気から吸熱する。この動作を行うことにより、第１熱交換器（103）から出た冷媒の全てを第２熱交換器（104）へ導入する場合に比べ、下流側の第２熱交換器（104）における冷媒の吸熱量が削減される。
【０２９５】
また、本変形例の冷媒回路（100）は、次のような構成を採ってもよい。即ち、第１又は第２熱交換器（103,104）が複数のパスを備えて各パスへ冷媒を分配するように構成されている場合、冷媒回路（100）は、第１又は第２熱交換器（103,104）の一部のパスだけに冷媒を導入できように構成されていてもよい。例えば、除湿運転の第１運転動作を行う冷媒回路（100）では、第１熱交換器（103）から出た冷媒が第２熱交換器（104）の一部のパスにだけ導入される。この状態では、第２熱交換器（104）の全体ではなく一部分においてだけ、冷媒と第２空気の熱交換が行われる。この動作を行うことにより、第２熱交換器（104）の全てのパスへ冷媒を導入して第２熱交換器（104）の全体で冷媒を空気と熱交換させる場合に比べ、下流側の第２熱交換器（104）における冷媒の吸熱量が削減される。
【０２９６】
本変形例によれば、互いに直列となった第１熱交換器（103）と第２熱交換器（104）の両方が蒸発器となる運転中において、下流側に位置する熱交換器（103,104）における冷媒の吸熱量を削減することができる。このため、共に蒸発器となる第１及び第２熱交換器（103,104）での冷媒の吸熱量と、凝縮器となる再生熱交換器（102）での冷媒の放熱量との均衡を図ることができ、冷媒回路（100）において安定した冷凍サイクルを行うことができる。
【０２９７】
−実施形態５の変形例２−
本実施形態の調湿装置では、加湿運転の第１運転動作時において、次のような運転を行ってもよい。つまり、この第１運転動作時に第２電動膨張弁（112）を全開状態とするのに代えて、第２電動膨張弁（112）を所定の開度に設定してもよい。このように、第２電動膨張弁（112）で冷媒を減圧する場合には、第１熱交換器（103）と第２熱交換器（104）で冷媒の蒸発温度が相違する。
【０２９８】
第２電動膨張弁（112）を所定の開度に設定した場合の冷凍サイクルについて、図１９を参照しながら説明する。圧縮機（101）から吐出された点Ａの状態の冷媒は、再生熱交換器（102）で第２空気へ放熱して点Ｂの状態となる。点Ｂの状態の状態の冷媒は、第１電動膨張弁（111）で減圧されて点Ｃの状態となる。点Ｃの状態の冷媒は、第２熱交換器（104）で第１空気から吸熱して蒸発し、点Ｄの状態となる。点Ｄの状態の状態の冷媒は、第２電動膨張弁（112）で減圧されて点Ｅの状態となる。点Ｅの状態の冷媒は、第１熱交換器（103）で第２空気から吸熱して蒸発し、点Ｆの状態となる。点Ｆの状態の冷媒は、圧縮機（101）へ吸入されて圧縮され、再び点Ａの状態となる。
【０２９９】
このように、本変形例の運転動作を行えば、第１熱交換器（103）での冷媒蒸発温度と第２熱交換器（104）での冷媒蒸発温度とを個別に設定できる。従って、第２熱交換器（104）での冷媒蒸発温度だけを高めに設定しておき、第２熱交換器（104）での着霜を防止することが可能となる。なお、その場合には、上記変形例１のように、第１熱交換器（103）における冷媒の吸熱量を削減するための方策を採るのが望ましい。
【０３００】
【発明のその他の実施の形態】
上記実施形態は、以下のような構成としてもよい。
【０３０１】
−第１変形例−
上記各実施形態の調湿装置では、除湿運転や加湿運転に加えて、除湿循環運転や加湿循環運転を行うようにしてもよい。この除湿循環運転や加湿循環運転においては、除湿運転や加湿運転と同様に、第１動作と第２動作とが交互に繰り返し行われる。ここでは、上記実施形態１に本変形例を適用したものについて説明する。
【０３０２】
《除湿循環運転》
図２０，図２１に示すように、除湿循環運転時において、給気ファン（95）を駆動すると、室内空気が室内側吸込口（15）を通じてケーシング（10）内に取り込まれる。この室内空気は、第１空気として室内側下部流路（47）へ流入する。一方、排気ファン（96）を駆動すると、室外空気が室外側吸込口（13）を通じてケーシング（10）内に取り込まれる。この室外空気は、第２空気として室外側下部流路（42）へ流入する。
【０３０３】
除湿循環運転の第１動作について、図５，図２０を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着剤が再生される。
【０３０４】
図２０に示すように、第１仕切板（20）では、第１右側開口（21）と第１左上開口（25）とが連通状態となり、残りの開口（22,23,24,26）が遮断状態となっている。この状態では、第１右側開口（21）によって室外側下部流路（42）と右側流路（51）とが連通され、第１左上開口（25）によって左上流路（55）と室外側上部流路（41）とが連通される。
【０３０５】
第２仕切板（30）では、第２右上開口（33）と第２右下開口（34）とが連通状態となり、残りの開口（31,32,35,36）が遮断状態となっている。この状態では、第２右上開口（33）によって右上流路（53）と室内側上部流路（46）とが連通され、第２右下開口（34）によって室内側下部流路（47）と右下流路（54）とが連通される。
【０３０６】
右側シャッタ（61）は閉鎖状態となり、左側シャッタ（62）は開口状態となっている。この状態では、中央流路（57）における再生熱交換器（102）の左側部分と左下流路（56）とが、左側シャッタ（62）を介して連通される。
【０３０７】
ケーシング（10）に取り込まれた第１空気は、室内側下部流路（47）から第２右下開口（34）を通って右下流路（54）へ流入する。一方、ケーシング（10）に取り込まれた第２空気は、室外側下部流路（42）から第１右側開口（21）を通って右側流路（51）へ流入する。
【０３０８】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、右上流路（53）へ流入する。
【０３０９】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から左下流路（56）へ流入する。
【０３１０】
第１吸着素子（81）及び再生熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に左上流路（55）へ流入する。
【０３１１】
図２０に示すように、右上流路（53）へ流入した減湿後の第１空気は、第２右上開口（33）を通って室内側上部流路（46）へ送り込まれる。この第１空気は、室内側上部流路（46）を流れる間に第１熱交換器（103）を通過し、冷媒との熱交換によって冷却される。その後、減湿されて冷却された第１空気は、室内側吹出口（14）を通って室内へ供給される。
【０３１２】
一方、左上流路（55）へ流入した第２空気は、第１左上開口（25）を通って室外側上部流路（41）へ流入する。この第２空気は、室外側上部流路（41）を流れる間に第２熱交換器（104）を通過する。その際、第２熱交換器（104）は休止しており、第２空気は加熱も冷却もされない。そして、第１吸着素子（81）の冷却と第２吸着素子（82）の再生に利用された第２空気は、室外側吹出口（16）を通って室外へ排出される。
【０３１３】
除湿循環運転の第２動作について、図５，図２１を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着剤が再生される。
【０３１４】
図２１に示すように、第１仕切板（20）では、第１左側開口（22）と第１右上開口（23）とが連通状態となり、残りの開口（21,24,25,26）が遮断状態となっている。この状態では、第１左側開口（22）によって室外側下部流路（42）と左側流路（52）とが連通され、第１右上開口（23）によって右上流路（53）と室外側上部流路（41）とが連通される。
【０３１５】
第２仕切板（30）では、第２左上開口（35）と第２左下開口（36）とが連通状態となり、残りの開口（31,32,33,34）が遮断状態となっている。この状態では、第２左上開口（35）によって左上流路（55）と室内側上部流路（46）とが連通され、第２左下開口（36）によって室内側下部流路（47）と左下流路（56）とが連通される。
【０３１６】
左側シャッタ（62）は閉鎖状態となり、右側シャッタ（61）は開口状態となっている。この状態では、中央流路（57）における再生熱交換器（102）の右側部分と右下流路（54）とが、右側シャッタ（61）を介して連通される。
【０３１７】
ケーシング（10）に取り込まれた第１空気は、室内側下部流路（47）から第２左下開口（36）を通って左下流路（56）へ流入する。一方、ケーシング（10）に取り込まれた第２空気は、室外側下部流路（42）から第１左側開口（22）を通って左側流路（52）へ流入する。
【０３１８】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、左上流路（55）へ流入する。
【０３１９】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から右下流路（54）へ流入する。
【０３２０】
第２吸着素子（82）及び再生熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に右上流路（53）へ流入する。
【０３２１】
図９に示すように、左上流路（55）へ流入した減湿後の第１空気は、第２左上開口（35）を通って室内側上部流路（46）へ送り込まれる。この第１空気は、室内側上部流路（46）を流れる間に第１熱交換器（103）を通過し、冷媒との熱交換によって冷却される。その後、減湿されて冷却された第１空気は、室内側吹出口（14）を通って室内へ供給される。
【０３２２】
一方、右上流路（53）へ流入した第２空気は、第１右上開口（23）を通って室外側上部流路（41）へ流入する。この第２空気は、室外側上部流路（41）を流れる間に第２熱交換器（104）を通過する。その際、第２熱交換器（104）は休止しており、第２空気は加熱も冷却もされない。そして、第２吸着素子（82）の冷却と第１吸着素子（81）の再生に利用された第２空気は、室外側吹出口（16）を通って室外へ排出される。
【０３２３】
《加湿循環運転》
図２２，図２３に示すように、加湿循環運転時において、給気ファン（95）を駆動すると、室内空気が室内側吸込口（15）を通じてケーシング（10）内に取り込まれる。この室内空気は、第２空気として室内側下部流路（47）へ流入する。一方、排気ファン（96）を駆動すると、室外空気が室外側吸込口（13）を通じてケーシング（10）内に取り込まれる。この室外空気は、第１空気として室外側下部流路（42）へ流入する。
【０３２４】
加湿循環運転の第１動作について、図５，図２２を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着剤が水蒸気を吸着する。
【０３２５】
図２２に示すように、第１仕切板（20）では、第１右上開口（23）と第１右下開口（24）とが連通状態となり、残りの開口（21,22,25,26）が遮断状態となっている。この状態では、第１右上開口（23）によって右上流路（53）と室外側上部流路（41）とが連通され、第１右下開口（24）によって室外側下部流路（42）と右下流路（54）とが連通される。
【０３２６】
第２仕切板（30）では、第２右側開口（31）と第２左上開口（35）とが連通状態となり、残りの開口（32,33,34,36）が遮断状態となっている。この状態では、第２右側開口（31）によって室内側下部流路（47）と右側流路（51）とが連通され、第２左上開口（35）によって左上流路（55）と室内側上部流路（46）とが連通される。
【０３２７】
右側シャッタ（61）は閉鎖状態となり、左側シャッタ（62）は開口状態となっている。この状態では、中央流路（57）における再生熱交換器（102）の左側部分と左下流路（56）とが、左側シャッタ（62）を介して連通される。
【０３２８】
ケーシング（10）に取り込まれた第１空気は、室外側下部流路（42）から第１右下開口（24）を通って右下流路（54）へ流入する。一方、ケーシング（10）に取り込まれた第２空気は、室内側下部流路（47）から第２右側開口（31）を通って右側流路（51）へ流入する。
【０３２９】
図５(ａ)にも示すように、右下流路（54）の第１空気は、第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、右上流路（53）へ流入する。
【０３３０】
一方、右側流路（51）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から左下流路（56）へ流入する。
【０３３１】
第１吸着素子（81）及び再生熱交換器（102）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に左上流路（55）へ流入する。
【０３３２】
図２２に示すように、左上流路（55）へ流入した第２空気は、第２左上開口（35）を通って室内側上部流路（46）へ流入する。この第２空気は、室内側上部流路（46）を流れる間に第１熱交換器（103）を通過する。その際、第１熱交換器（103）は休止しており、第２空気は加熱も冷却もされない。そして、加湿された第２空気は、室内側吹出口（14）を通って室内へ供給される。
【０３３３】
一方、右上流路（53）へ流入した第１空気は、第１右上開口（23）を通って室外側上部流路（41）へ送り込まれる。この第１空気は、室外側上部流路（41）を流れる間に第２熱交換器（104）を通過し、冷媒との熱交換によって冷却される。その後、水分と熱を奪われた第１空気は、室外側吹出口（16）を通って室外へ排出される。
【０３３４】
加湿循環運転の第２動作について、図５，図２３を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着剤が水蒸気を吸着する。
【０３３５】
図２３に示すように、第１仕切板（20）では、第１左上開口（25）と第１左下開口（26）とが連通状態となり、残りの開口（21,22,23,24）が遮断状態となっている。この状態では、第１左上開口（25）によって左上流路（55）と室外側上部流路（41）とが連通され、第１左下開口（26）によって室外側下部流路（42）と左下流路（56）とが連通される。
【０３３６】
第２仕切板（30）では、第２左側開口（32）と第２右上開口（33）とが連通状態となり、残りの開口（31,34,35,36）が遮断状態となっている。この状態では、第２左側開口（32）によって室内側下部流路（47）と左側流路（52）とが連通され、第２右上開口（33）によって右上流路（53）と室内側上部流路（46）とが連通される。
【０３３７】
左側シャッタ（62）は閉鎖状態となり、右側シャッタ（61）は開口状態となっている。この状態では、中央流路（57）における再生熱交換器（102）の右側部分と右下流路（54）とが、右側シャッタ（61）を介して連通される。
【０３３８】
ケーシング（10）に取り込まれた第１空気は、室外側下部流路（42）から第１左下開口（26）を通って左下流路（56）へ流入する。一方、ケーシング（10）に取り込まれた第２空気は、室内側下部流路（47）から第２左側開口（32）を通って左側流路（52）へ流入する。
【０３３９】
図５(ｂ)にも示すように、左下流路（56）の第１空気は、第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、左上流路（55）へ流入する。
【０３４０】
一方、左側流路（52）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却用流体として冷却側通路（86）を流れる。吸着熱を奪った第２空気は、中央流路（57）へ流入して再生熱交換器（102）を通過する。その際、再生熱交換器（102）では、第２空気が冷媒との熱交換によって加熱される。その後、第２空気は、中央流路（57）から右下流路（54）へ流入する。
【０３４１】
第２吸着素子（82）及び再生熱交換器（102）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に右上流路（53）へ流入する。
【０３４２】
図２３に示すように、右上流路（53）へ流入した第２空気は、第２右上開口（33）を通って室内側上部流路（46）へ流入する。この第２空気は、室内側上部流路（46）を流れる間に第１熱交換器（103）を通過する。その際、第１熱交換器（103）は休止しており、第２空気は加熱も冷却もされない。そして、加湿された第２空気は、室内側吹出口（14）を通って室内へ供給される。
【０３４３】
一方、左上流路（55）へ流入した第１空気は、第１左上開口（25）を通って室外側上部流路（41）へ送り込まれる。この第１空気は、室外側上部流路（41）を流れる間に第２熱交換器（104）を通過し、冷媒との熱交換によって冷却される。その後、水分と熱を奪われた第１空気は、室外側吹出口（16）を通って室外へ排出される。
【０３４４】
《冷媒回路の動作》
冷媒回路（100）の動作について、図２４，図２５を参照しながら説明する。尚、図２４，図２５に示す第１空気及び第２空気の流れは、第２動作時のものである。
【０３４５】
除湿循環運転時における冷媒回路（100）の動作は、上記実施形態１における除湿運転時の動作と同様である。つまり、図２４(ａ)に示すように、冷媒回路（100）では、再生熱交換器（102）が凝縮器となり、第１熱交換器（103）が蒸発器となり、第２熱交換器（104）が休止状態となる。
【０３４６】
一方、加湿循環運転時には、冷媒回路（100）において、２種類の運転動作が可能である。そして、加湿循環運転時には、２つの運転動作が適宜選択して行われる。
【０３４７】
加湿運転時における冷媒回路（100）の第１運転動作は、上記実施形態１における加湿運転時の動作と同様である。つまり、図２４(ｂ)に示すように、冷媒回路（100）では、再生熱交換器（102）が凝縮器となり、第２熱交換器（104）が蒸発器となり、第１熱交換器（103）が休止状態となる。
【０３４８】
加湿運転時における冷媒回路（100）の第２運転動作は、上記実施形態１における除湿運転時の動作と同様である。つまり、図２５に示すように、冷媒回路（100）では、再生熱交換器（102）が凝縮器となり、第１熱交換器（103）が蒸発器となり、第２熱交換器（104）が休止状態となる。そして、再生熱交換器（102）では冷媒が第２空気と熱交換して凝縮し、第１熱交換器（103）では冷媒が第２空気と熱交換して蒸発する。この第２運転動作により、加湿されてから冷却された第２空気を室内へ供給できる。
【０３４９】
−第２変形例−
図２６，図２７に示すように、上記各実施形態の調湿装置では、再生熱交換器（102）を、ほぼ水平に寝かせられた状態で設置してもよい。ここでは、本変形例に係る調湿装置について、上記実施形態と異なる点を説明する。
【０３５０】
この調湿装置において、中央流路（57）は、図２６，図２７に現れる流路断面の形状が四角形状となっている。そして、再生熱交換器（102）は、この中央流路（57）を上下に仕切るように設けられている。更に、再生熱交換器（102）は、その上面が第１及び第２吸着素子（81,82）の下面よりも僅かに下となるように配置されている。
【０３５１】
また、この調湿装置において、右側シャッタ（61）は、中央流路（57）における再生熱交換器（102）の下側部分と右下流路（54）との間を仕切っている。一方、左側シャッタ（62）は、中央流路（57）における再生熱交換器（102）の下側部分と左下流路（56）との間を仕切っている。
【０３５２】
本変形例の調湿装置は、除湿運転時や加湿運転時において、上記実施形態のものと同様の動作を行う。尚、図２６は、除湿運転の第１動作における状態を示している。また、図２７では、第１動作時の状態が同図(ａ)に示され、第２動作時の状態が同図(ｂ)に示されている。
【０３５３】
本変形例のように再生熱交換器（102）を配置すると、調湿装置を設置する際の制約が小さくなる。つまり、調湿装置の保守作業においては、第１及び第２吸着素子（81,82）をケーシング（10）から取り出す場合もある。一方、本変形例の調湿装置では、再生熱交換器（102）を吸着素子（81,82）よりも下方に配置している。このため、ケーシング（10）における左右の何れか一方の側面を開けば、吸着素子（81,82）を２つとも抜き取ることが可能となる。従って、この調湿装置については、例えばケーシング（10）の左右いずれかの側面が壁に密着するような状態でも据え付けることが可能である。
【０３５４】
−第３変形例−
上記の各実施形態では、ケーシング（10）の内部に冷媒回路（100）の全体を収納しているが、これに代えて、冷媒回路（100）の一部をケーシング（10）に収納してもよい。例えば、調湿装置のケーシング（10）とは別に、圧縮機（101）だけが収納される圧縮機ユニットを形成してもよい。この場合、閉回路の冷媒回路（100）は、圧縮機ユニット内の圧縮機（101）と、ケーシング（10）内の再生熱交換器（102）等とを連絡配管で接続することによって形成される。
【０３５５】
また、冷媒回路（100）には、ケーシング（10）内の第１熱交換器（103）や第２熱交換器（104）の他に、第１空気や第２空気とは別の空気と冷媒を熱交換させて蒸発器となる熱交換器を追加してもよい。更には、この追加された熱交換器を、圧縮機（101）と共に上記圧縮機ユニットに収納してもよい。
【０３５６】
−第４変形例−
上記実施形態１では、調湿装置において除湿運転と加湿運転の両方が可能となっているが、加湿運転のみを行うように調湿装置を構成してもよい。ここでは、本変形例の調湿装置について、上記実施形態１と異なる点を説明する。
【０３５７】
図２８，図２９に示すように、本変形例の調湿装置において、第１仕切板（20）には、第１右側開口（21）、第１左側開口（22）、第１右上開口（23）、及び第１左上開口（25）だけが形成されており、第１右下開口（24）及び第１左下開口（26）は形成されていない。また、第２仕切板（30）には、第２右上開口（33）、第２右下開口（34）、第２左上開口（35）、及び第２左下開口（36）だけが形成されており、第２右側開口（31）及び第２左側開口（32）は形成されていない。また、冷媒回路（100）に設けられる熱交換器は、再生熱交換器（102）と第２熱交換器（104）だけであり、第１熱交換器（103）は冷媒回路（100）に設けられていない。そして、本変形例の調湿装置は、第１動作と第２動作を交互に繰り返して加湿運転を行う。
【図面の簡単な説明】
【図１】  実施形態１に係る調湿装置の構成および除湿運転中の第１動作を示す分解斜視図である。
【図２】  実施形態１に係る調湿装置での除湿運転中の第２動作を示す分解斜視図である。
【図３】  実施形態１に係る調湿装置での加湿運転中の第１動作を示す分解斜視図である。
【図４】  実施形態１に係る調湿装置での加湿運転中の第２動作を示す分解斜視図である。
【図５】  実施形態１に係る調湿装置の要部を示す概略構成図である。
【図６】  実施形態１に係る調湿装置の吸着素子を示す概略斜視図である。
【図７】  実施形態１に係る冷媒回路の構成を示す配管系統図である。
【図８】  実施形態１，２，３に係る調湿装置の運転動作を概念的に示す説明図である。
【図９】  実施形態２に係る冷媒回路の構成を示す配管系統図である。
【図１０】  実施形態２，３，４に係る調湿装置の運転動作を概念的に示す説明図である。
【図１１】  実施形態３に係る冷媒回路の構成を示す配管系統図である。
【図１２】  実施形態３に係る調湿装置の運転動作を概念的に示す説明図である。
【図１３】  実施形態４に係る冷媒回路の構成を示す配管系統図である。
【図１４】  実施形態４に係る調湿装置の運転動作を概念的に示す説明図である。
【図１５】  実施形態５に係る冷媒回路の構成を示す配管系統図である。
【図１６】  実施形態５に係る調湿装置の運転動作を概念的に示す説明図である。
【図１７】  実施形態５に係る調湿装置の運転動作を概念的に示す説明図である。
【図１８】  実施形態５に係る調湿装置の冷媒回路で行われる冷凍サイクルを示すモリエル線図（圧力−エンタルピ線図）である。
【図１９】  実施形態５の変形例２に係る調湿装置の冷媒回路で行われる冷凍サイクルを示すモリエル線図（圧力−エンタルピ線図）である。
【図２０】  その他の実施形態の第１変形例に係る調湿装置での除湿循環運転中の第１動作を示す分解斜視図である。
【図２１】  その他の実施形態の第１変形例に係る調湿装置での除湿循環運転中の第２動作を示す分解斜視図である。
【図２２】  その他の実施形態の第１変形例に係る調湿装置での加湿循環運転中の第１動作を示す分解斜視図である。
【図２３】  その他の実施形態の第１変形例に係る調湿装置での加湿循環運転中の第２動作を示す分解斜視図である。
【図２４】  その他の実施形態の第１変形例に係る調湿装置の運転動作を概念的に示す説明図である。
【図２５】  その他の実施形態の第１変形例に係る調湿装置の運転動作を概念的に示す説明図である。
【図２６】  その他の実施形態の第２変形例に係る調湿装置の構成を示す分解斜視図である。
【図２７】  その他の実施形態の第２変形例に係る調湿装置の要部を示す概略構成図である。
【図２８】  その他の実施形態の第４変形例に係る調湿装置での加湿運転中の第１動作を示す分解斜視図である。
【図２９】  その他の実施形態の第４変形例に係る調湿装置での加湿運転中の第２動作を示す分解斜視図である。
【符号の説明】
（81）  第１吸着素子
（82）  第２吸着素子
（100） 冷媒回路
（102） 再生熱交換器
（103） 第１熱交換器
（104） 第２熱交換器
【図１】
0003695417.tif 000002
【図２】
0003695417.tif 000003
【図３】
0003695417.tif 000004
【図４】
0003695417.tif 000005
【図５】
0003695417.tif 000006
【図６】
0003695417.tif 000007
【図７】
0003695417.tif 000008
【図８】
0003695417.tif 000009
【図９】
0003695417.tif 000010
【図１０】
0003695417.tif 000011
【図１１】
0003695417.tif 000012
【図１２】
0003695417.tif 000013
【図１３】
0003695417.tif 000014
【図１４】
0003695417.tif 000015
【図１５】
0003695417.tif 000016
【図１６】
0003695417.tif 000017
【図１７】
0003695417.tif 000018
【図１８】
0003695417.tif 000019
【図１９】
0003695417.tif 000020
【図２０】
0003695417.tif 000021
【図２１】
0003695417.tif 000022
【図２２】
0003695417.tif 000023
【図２３】
0003695417.tif 000024
【図２４】
0003695417.tif 000025
【図２５】
0003695417.tif 000026
【図２６】
0003695417.tif 000027
【図２７】
0003695417.tif 000028
【図２８】
0003695417.tif 000029
【図２９】
0003695417.tif 000030